(57)【要約】【課題】表示パネルの各領域の解像度を変更可能にするためのゲートドライバ、データドライバ、およびそれを用いた表示装置を提供する。【解決手段】一実施形態によるゲートドライバは、ゲート解像度制御信号（ＯＧＳ、ＩＧＳ）を出力するゲート解像度制御信号出力装置、複数のゲートラインに出力されるゲートパルスを生成するゲートパルス生成装置および前記ゲートパルス生成装置から出力したゲートパルスが伝送されるゲートラインを前記ゲート解像度制御信号（ＯＧＳ、ＩＧＳ）を用いて選択するゲートライン選択装置を含む。ゲートパルス生成装置は、ゲートパルスを生成するゲートステージを含む。ゲートライン選択装置は、複数のゲート直列スイッチおよび複数のゲート並列スイッチを含む。【選択図】図１
2022003385.tif 000002
【特許請求の範囲】
【請求項１】
ゲート解像度制御信号（ＯＧＳ、ＩＧＳ）を出力するゲート解像度制御信号出力装置、
複数のゲートラインに出力されるゲートパルスを生成するゲートパルス生成装置、および
前記ゲートパルス生成装置から出力したゲートパルスが伝送される前記ゲートラインを前記ゲート解像度制御信号（ＯＧＳ、ＩＧＳ）を用いて選択するゲートライン選択装置を含み、
前記ゲートパルス生成装置が、前記ゲートパルスを生成するゲートステージを含み、
前記ゲートライン選択装置は、
複数のゲート直列スイッチ、および
複数のゲート並列スイッチを含み、
複数の前記ゲート直列スイッチのそれぞれは、複数の前記ゲートステージと複数の前記ゲートラインを１対１で連結し、
複数の前記ゲート並列スイッチのそれぞれは、互いに隣接している二つの前記ゲートラインを１対１で連結させるゲートドライバ。
【請求項２】
前記ゲート解像度制御信号出力装置が、
前記ゲートラインに対応するゲート解像度信号（ＧＲＳ）を保存するゲート解像度信号保存部、および
前記ゲート解像度信号（ＧＲＳ）によって生成されたゲート解像度制御信号（ＯＧＳ、ＩＧＳ）を前記ゲートライン選択装置に伝送するゲート解像度制御信号出力部を含む、請求項１に記載のゲートドライバ。
【請求項３】
前記ゲート解像度信号保存部が、
前記ゲートラインに対応するゲート解像度信号（ＧＲＳ）を保存し、前記ゲート解像度信号を同時に出力する複数のゲート解像度信号保存器、および
複数の前記ゲート解像度信号保存器を順番に駆動して前記ゲート解像度信号（ＧＲＳ）が前記ゲート解像度信号保存器に保存されるようにする複数のゲート解像度信号レジスタを含む、請求項２に記載のゲートドライバ。
【請求項４】
前記ゲート解像度制御信号出力部が、
前記ゲート解像度信号保存器から出力した前記ゲート解像度信号に対応するオリジナルゲート解像度制御信号（ＯＧＳ）を前記ゲートライン選択装置に伝送する複数のオリジナルゲート解像度制御信号ライン、および
前記オリジナルゲート解像度制御信号（ＯＧＳ）を反転させる複数のゲートインバータ、および
複数の前記ゲートインバータから出力した反転ゲート解像度制御信号（ＩＧＳ）を前記ゲートライン選択装置に伝送する複数の反転ゲート解像度制御信号ラインを含む、請求項２に記載のゲートドライバ。
【請求項５】
前記ゲート解像度制御信号（ＯＧＳ、ＩＧＳ）が、使用者の目の焦点に対応する、請求項１に記載のゲートドライバ。
【請求項６】
複数の前記ゲート直列スイッチのそれぞれが、前記ゲート解像度制御信号出力装置から出力したオリジナルゲート解像度制御信号（ＯＧＳ）によってターンオンまたはターンオフされ、
複数の前記ゲート並列スイッチのそれぞれは、前記ゲート解像度制御信号出力装置から出力した反転ゲート解像度制御信号（ＩＧＳ）によってターンオンまたはターンオフされ、
前記反転ゲート解像度制御信号（ＩＧＳ）は、前記オリジナルゲート解像度制御信号（ＯＧＳ）を反転させた信号である、請求項５に記載のゲートドライバ。
【請求項７】
複数の前記ゲート直列スイッチのうち、第ｍゲート直列スイッチがターンオンされると、第ｍゲートステージから前記第ｍゲート直列スイッチに伝送される第ｍゲートパルスが、前記第ｍゲート直列スイッチと連結した第ｍゲートラインに出力され、
前記第ｍゲートパルスは、前記第ｍゲートラインと連結している少なくとも一つの前記ゲート並列スイッチを介して前記第ｍゲートラインと隣接している少なくとも一つの前記ゲートラインに出力される、請求項６に記載のゲートドライバ。
【請求項８】
前記第ｍゲートパルスが、
前記第ｍゲートラインと連結している少なくとも一つの前記ゲート並列スイッチを介して前記第ｍゲートステージの次段に備えられたゲートステージのうちのいずれか一つのステージに伝送される、請求項７に記載のゲートドライバ。
【請求項９】
データ解像度制御信号（ＯＤＳ、ＩＤＳ）を出力するデータ解像度制御信号出力装置、
映像データを保存するラッチ装置、
前記ラッチ装置に備えられたラッチが映像データを保存するようにするデータ保存制御信号（Ｃ）を生成するシフトレジスタ装置、
前記シフトレジスタ装置から出力した前記データ保存制御信号（Ｃ）が伝送されるラッチを前記データ解像度制御信号（ＯＤＳ、ＩＤＳ）を用いて選択するラッチ選択装置、
前記ラッチ装置から伝送された映像データを用いて、データラインに出力するデータ電圧を生成するデジタルアナログ変換装置、および
前記データ電圧をデータラインに同時に出力するデータバッファ装置を含み、
前記データ解像度制御信号出力装置は、
データラインに対応するデータ解像度信号（ＤＲＳ）を保存するデータ解像度信号保存部、および
前記データ解像度信号によって生成された前記データ解像度制御信号（ＯＤＳ、ＩＤＳ）を前記ラッチ選択装置に伝送するデータ解像度制御信号出力部を含むデータドライバ。
【請求項１０】
前記データ解像度制御信号（ＯＤＳ、ＩＤＳ）が、使用者の目の焦点に対応する、請求項９に記載のデータドライバ。
【請求項１１】
前記データ解像度信号保存部が、
データラインに対応する前記データ解像度信号（ＤＲＳ）を保存し、前記データ解像度信号を同時に出力する複数のデータ解像度信号保存器、および
前記データ解像度信号保存器を順番に駆動して、前記データ解像度信号（ＤＲＳ）が前記データ解像度信号保存器に保存されるようにする複数のデータ解像度信号レジスタを含む、請求項９に記載のデータドライバ。
【請求項１２】
前記データ解像度制御信号出力部が、
前記データ解像度信号保存部から出力した前記データ解像度信号に対応するオリジナルデータ解像度制御信号（ＯＤＳ）を前記ラッチ選択装置に伝送する複数のオリジナルデータ解像度制御信号ライン、
前記オリジナルデータ解像度制御信号（ＯＤＳ）を反転させる複数のデータインバータ、および
前記データインバータから出力した反転データ解像度制御信号（ＩＤＳ）を前記ラッチ選択装置に伝送する反転データ解像度制御信号ラインを含む、請求項９に記載のデータドライバ。
【請求項１３】
前記シフトレジスタ装置が、前記データ保存制御信号（Ｃ）を生成するデータステージを含み、
前記ラッチ選択装置は、
複数のデータ直列スイッチ、および
複数のデータ並列スイッチを含み、
複数の前記データ直列スイッチのそれぞれは、複数の前記データステージと複数の前記ラッチを１対１で連結し、
複数の前記データ並列スイッチのそれぞれは、複数の前記データ直列スイッチと複数の前記ラッチを１対１で連結する複数の補助データラインのうち、互いに隣接している二つの前記補助データラインを１対１で連結させる請求項９に記載のデータドライバ。
【請求項１４】
複数の前記データ直列スイッチのそれぞれが、前記データ解像度制御信号出力装置から出力したオリジナルデータ解像度制御信号（ＯＤＳ）によってターンオンまたはターンオフされ、
複数の前記データ並列スイッチのそれぞれは、前記データ解像度制御信号出力装置から出力した反転データ解像度制御信号（ＩＤＳ）によってターンオンまたはターンオフされ、
前記反転データ解像度制御信号（ＩＤＳ）は、前記オリジナルデータ解像度制御信号（ＯＤＳ）を反転させた信号である、請求項１３に記載のデータドライバ。
【請求項１５】
複数の前記データ直列スイッチのうち、第ｍデータ直列スイッチがターンオンされると、第ｍデータステージから前記第ｍデータ直列スイッチに伝送される第ｍデータ保存制御信号が、前記第ｍデータ直列スイッチと連結した第ｍ補助データラインを介して第ｍラッチに出力され、
前記第ｍデータ保存制御信号は、前記第ｍ補助データラインと連結している少なくとも一つの前記データ並列スイッチを介して、前記第ｍ補助データラインと隣接している少なくとも一つの補助データラインに出力する、請求項１４に記載のデータドライバ。
【請求項１６】
前記第ｍデータ保存制御信号が、
前記第ｍ補助データラインと連結している少なくとも一つの前記データ並列スイッチを介して、前記第ｍラッチの次段に備えられたラッチのうちのいずれか一つのラッチに伝送される、請求項１５に記載のデータドライバ。
【請求項１７】
前記データバッファ装置が、
前記デジタルアナログ変換装置を備える複数の変換部と１対１で連結した複数のデータバッファ、および
複数のバッファ並列スイッチを含み、
複数の前記バッファ並列スイッチの各々は、互いに隣接している二つのデータラインを１対１で連結させる、請求項９に記載のデータドライバ。
【請求項１８】
複数の前記バッファ並列スイッチのそれぞれが、前記データ解像度制御信号出力装置から出力した反転データ解像度制御信号（ＩＤＳ）によってターンオンまたはターンオフされ、
複数の前記データバッファのそれぞれは、データバッファ制御信号（ＰＤ）によって駆動し、前記デジタルアナログ変換装置から伝送されてきた前記データ電圧をデータラインに出力し、
いずれか一つのデータバッファを介して供給された前記データ電圧は、いずれか一つのデータラインにのみ出力したり、または少なくとも一つの前記バッファ並列スイッチを介して、少なくとも二つのデータラインに出力する、請求項１７に記載のデータドライバ。
【請求項１９】
映像を出力する表示パネル、
前記表示パネルに備えられた複数のデータラインにデータ電圧を供給するデータドライバ、
前記表示パネルに備えられた複数のゲートラインにゲート電圧を供給するゲートドライバ、および
前記データドライバと前記ゲートドライバを制御する制御部を含み、
前記ゲートドライバが、
使用者の目の焦点に対応するゲート解像度制御信号（ＯＧＳ、ＩＧＳ）を出力するゲート解像度制御信号出力装置、
前記ゲートラインに出力されるゲートパルスを生成するゲートパルス生成装置、および、
前記ゲートパルス生成装置から出力したゲートパルスが伝送される前記ゲートラインを前記ゲート解像度制御信号（ＯＧＳ、ＩＧＳ）を用いて選択するゲートライン選択装置を含む表示装置。
【発明の詳細な説明】
【技術分野】
【０００１】
本発明は、表示装置に関するものであり、特に、仮想現実装置に適用される表示装置に関するものである。
【背景技術】
【０００２】
仮想現実装置は、実際の環境に似た環境を使用者が感じることができるようにする装置である。
【０００３】
仮想現実装置には、表示装置が含まれる。表示装置には、液晶表示装置および発光表示装置などが含まれ、表示装置には、表示パネルが含まれる（特許文献１）。
【０００４】
仮想現実装置に適用される従来の表示パネルにおいて、表示パネルの解像度は、各領域ごとに固定されている。
【０００５】
しかし、使用者の目の焦点位置は固定されていないので、使用者の目の位置が変化するにつれて、表示パネルの各領域の解像度も変更されなければならない。
【先行技術文献】
【特許文献】
【０００６】
【特許文献１】韓国公開特許第１０−２０１９−０００３３３４号公報
【発明の概要】
【発明が解決しようとする課題】
【０００７】
上述した問題点を解決するために提案された本発明の目的は、表示パネルの各領域の解像度が変更されるようにするために、ゲートドライバ、データドライバ、およびそれを用いた表示装置を提供することである。
【課題を解決するための手段】
【０００８】
上述した技術的課題を達成するための本発明に係るゲートドライバは、ゲート解像度制御信号（ＯＧＳ、ＩＧＳ）を出力するゲート解像度制御信号出力装置２１０、複数のゲートラインに出力されるゲートパルスを生成するゲートパルス生成装置２２０および前記ゲートパルス生成装置から出力したゲートパルスが伝送されるゲートラインを前記ゲート解像度制御信号（ＯＧＳ、ＩＧＳ）を用いて選択するゲートライン選択装置２３０を含む。前記ゲートパルス生成装置２２０は、ゲートパルスを生成するゲートステージ２２１を含む。前記ゲートライン選択装置２３０は、複数のゲート直列スイッチ２３１および複数のゲート並列スイッチ２３２を含む。複数の前記ゲート直列スイッチのそれぞれは、複数の前記ゲートステージ２２１と複数の前記ゲートラインを１対１で連結させ、前記ゲート並列スイッチの各々は、互いに隣接している二つの前記ゲートラインを１対１で連結させる。
【０００９】
上述した技術的課題を達成するための本発明に係るデータドライバは、使用者の目の焦点に対応するデータ解像度制御信号（ＯＤＳ、ＩＤＳ）を出力するデータ解像度制御信号出力装置３１０、映像データを保存するラッチ装置３４０、前記ラッチ装置に備えられたラッチ３４１が映像データを保存するようにするデータ保存制御信号（Ｃ）を生成するシフトレジスタ装置３２０、前記シフトレジスタ装置３２０から出力した前記データ保存制御信号（Ｃ）が伝送されるラッチを上記データ解像度制御信号（ＯＤＳ、ＩＤＳ）を用いて選択するラッチ選択装置３３０、前記ラッチ装置３４０から伝送された映像データを用いて、データラインに出力するデータ電圧を生成するデジタルアナログ変換装置３５０および前記データ電圧をデータラインに同時に出力するデータバッファ装置３６０を含んでいる。上記データ解像度制御信号出力装置３１０は、データラインに対応するデータ解像度信号（ＤＲＳ）を保存するデータ解像度信号保存部３１１および前記データ解像度信号によって生成されたデータ解像度制御信号（ＯＤＳ、ＩＤＳ）を上記ラッチ選択装置３３０に伝送するデータ解像度制御信号出力部３１２を含む。
【００１０】
上述した技術的課題を達成するための本発明に係る表示装置は、映像を出力する表示パネル、上記データドライバ、前記ゲートドライバおよび前記データドライバと前記ゲートドライバを制御する制御部を含む。
【発明の効果】
【００１１】
本発明によれば、使用者の目の焦点位置が変化するにしたがって、表示パネルの各領域の解像度を変更することができる。したがって、使用者はより鮮明な仮想現実を楽しむことができる。
【００１２】
また、本発明によれば、ゲートドライバで生成されるゲートパルスの回数を減少させることができ、データドライバで生成されるデータ電圧の回数を減少させることができる。したがって、ゲートドライバおよびデータドライバの消費電力が減少し得、これにより、表示装置の消費電力を減少させることができる。
【図面の簡単な説明】
【００１３】
【図１】本発明に係る表示装置の構成を示す例示図。
【図２Ａ】本発明に係る表示装置に適用されるピクセルの構造を示す例示図。
【図２Ｂ】本発明に係る表示装置に適用されるピクセルの構造を示す例示図。
【図３】本発明に係る表示装置に適用される制御部の構成を示す例示図
【図４】本発明に係るゲートドライバの構成を示す例示図。
【図５】図４に示したステージの構成を示す例示図。
【図６】本発明に係るデータドライバの構成を示す例示図。
【図７】図６に示したデータバッファ装置の構成を示す例示図。
【図８Ａ】本発明に係る表示装置によって、高解像度、中解像度および低解像度が表現される方法を説明するための例示図。
【図８Ｂ】本発明に係る表示装置によって、高解像度、中解像度および低解像度が表現される方法を説明するための例示図。
【図８Ｃ】本発明に係る表示装置によって、高解像度、中解像度および低解像度が表現される方法を説明するための例示図。
【図９】本発明に係るゲートドライバによって、高解像度、中解像度および低解像度が表現される方法を説明するための例示図。
【図１０】図９に示したゲートドライバを駆動するための信号のタイミング図。
【図１１】本発明によるデータドライバによって、高解像度、中解像度および低解像度が表現される方法を説明するための例示図。
【図１２】図１１に示したデータドライバを駆動するための信号のタイミング図。
【発明を実施するための形態】
【００１４】
本発明の利点と特徴、そしてそれらを達成する方法は添付の図と共に詳細に後述されている一例を参照すると明確になるだろう。しかし、本発明は、以下で開示される実施例に限定されるものではなく、異なる多様な形態で実現されるものであり、単に本実施例は、本発明の開示を完全にし、本発明が属する技術分野で通常の知識を有する者に発明の範疇を完全に知らせるために提供されるものであり、本発明は、請求項の範疇によってのみ定義される。
【００１５】
本明細書では、各図面の構成要素に参照番号を付加する場合において、同一の構成要素に限っては、たとえ他の図面上に表示されても、可能な限り同一の番号を有するようにしていることに留意しなければならない。
【００１６】
本発明の一例を説明するため、図に示した形状、大きさ、比率、角度、個数などは、例示的なものであって、本発明が図に示した事項に限定されるものではない。明細書全体にわたって同一参照符号は同一の構成要素を指す。また、本発明を説明するにおいて、関連する公知技術に対する具体的な説明が本発明の要旨を不必要に曖昧にすると判断された場合、その詳細な説明は省略する。本明細書で言及した「含む」、「有する」、「からなる」などが使用されている場合、「〜だけ」が使用されていない限り、他の部分を追加することができる。構成要素を単数で表現した場合に特に明示的な記載事項がない限り、複数を含む場合を含む。
【００１７】
構成要素を解釈するに当たり、別途の明示的な記載がなくても誤差の範囲を含むものと解釈する。
【００１８】
位置関係についての説明である場合、例えば、「〜上に」、「〜上部に」、「〜下部に」、「〜横に」などで二つの部分の位置関係が説明されている場合、「すぐに」または「直接」が使用されていない限り、二つの部分の間に一つ以上の他の部分が位置することもできる
【００１９】
時間の関係についての説明である場合、例えば、「〜後に」、「〜に続いて」、「〜次に」、「〜前に」などで時間的前後関係が説明されている場合、「すぐに」または「直接」が使用されていない以上、連続的でない場合も含むことができる。
【００２０】
「少なくとも一つ」の用語は、一つ以上の関連項目から提示可能なすべての組み合わせを含むものと理解されなければならない。例えば、「第１項目、第２項目、および第３項目の中の少なくとも一つ」の意味は、第１項目、第２項目、または第３項目各々だけではなく、第１項目、第２項目、および第３項目の中から二つ以上で提示され得るすべての項目の組み合わせを意味する。
【００２１】
第１、第２などが多様な構成要素を記述するために使用されるが、これらの構成要素はこれらの用語によって制限されない。これらの用語は、単に一つの構成要素を他の構成要素と区別するために使用されるものである。したがって、以下で言及される第１構成要素は、本発明の技術的思想内で第２構成要素であることもあり得る。
【００２２】
本発明のいくつかの実施例のそれぞれの特徴が部分的または全体的に互いに結合または組み合わせ可能で、技術的に多様な連動および駆動が可能であり、各実施例が互いに対して独立的に実施することもでき、関連の関係で一緒に実施することもできる。
【００２３】
以下、添付した図を参照して、本発明の実施例について詳細に説明する。
【００２４】
図１は、本発明に係る表示装置の構成を示す例示図であり、図２Ａおよび図２Ｂは、本発明に係る表示装置に適用されるピクセルの構造を示す例示図であり、図３は、本発明による表示装置に適用される制御部の構成を示す例示図である。
【００２５】
本発明に係る表示装置は、様々な種類の電子装置に含むことができ、例えば、仮想現実装置に含むことができる。すなわち、電子装置は、外部システム２０、センサー３０および表示装置１０を含む。
【００２６】
本発明に係る表示装置１０は、図１に示すように、映像が出力される表示領域１２０と表示領域の外郭に備えられた非表示領域１３０を含む表示パネル１００、表示パネルの表示領域に備えられたゲートライン（ＧＬ１〜ＧＬｇ）にゲート信号（ＧＳ）を供給するゲートドライバ２００、表示パネルに備えられたデータライン（ＤＬ１〜ＤＬｄ）にデータ電圧を供給するデータドライバ３００およびゲートドライバ２００とデータドライバ３００の駆動を制御する制御部４００を含む。
【００２７】
電子装置を構成する外部システム２０は、電子装置を構成するセンサー３０から受信したセンシング情報を用いて、使用者の目の焦点位置に対する情報を生成し、焦点位置に対する情報は、外部システム２０から制御部４００に伝送される。
【００２８】
すなわち、外部システム２０は、制御部４００および、電子装置を駆動する機能を遂行する。特に、外部システム２０は、有線ネットワークまたは無線ネットワークを介して各種の音声情報、映像情報および文字情報などを受信し、受信した映像情報を制御部４００に伝送する。映像情報は、制御部４００に入力する入力映像データになり得る。また、外部システム２０は、センサー３０から受信したセンシング情報を用いて、使用者の目の焦点位置に対する情報（以下、簡単に焦点情報とする）を生成し、生成された焦点情報を制御部４００に伝送する。
【００２９】
以下では、表示装置１０に含まれる上記のような構成要素の構成および機能について説明する。
【００３０】
まず、表示パネル１００は、表示領域１２０および非表示領域１３０を含む。表示領域１２０には、ゲートライン（ＧＬ１〜ＧＬｇ）、データライン（ＤＬ１〜ＤＬｄ）およびピクセル１１０が備えられる。
【００３１】
表示パネル１００は、発光素子（ＥＤ）で構成された発光表示パネルであることもあり、液晶を用いて画像を表現する液晶表示パネルであることもある。
【００３２】
表示パネル１００が発光表示パネルである場合、表示パネル１００に具備されるピクセル１１０は、例えば、図２Ａに示すように、発光素子（ＥＤ）、スイッチングトランジスタ（Ｔｓｗ１）、ストレージキャパシタ（Ｃｓｔ）、駆動トランジスタ（Ｔｄｒ）およびセンシングトランジスタ（Ｔｓｗ２）を含むことができる。すなわち、ピクセル１１０は、ピクセル駆動回路（ＰＤＣ）および発光部を含み、ピクセル駆動回路（ＰＤＣ）は、スイッチングトランジスタ（Ｔｓｗ１）、ストレージキャパシタ（Ｃｓｔ）、駆動トランジスタ（Ｔｄｒ）およびセンシングトランジスタ（Ｔｓｗ２）を含み、発光部は、発光素子（ＥＤ）を含むことができる。
【００３３】
発光素子（ＥＤ）は、有機発光層、無機発光層および量子ドット発光層の中のいずれか一つを含むことができ、または、有機発光層（または無機発光層）と量子ドット発光層の積層または混合構造を含むことができる。
【００３４】
ピクセル駆動回路（ＰＤＣ）を構成するスイッチングトランジスタ（Ｔｓｗ１）は、ゲートライン（ＧＬ）に供給されるゲート信号（ＧＳ）によってターンオンまたはターンオフされ、データライン（ＤＬ）を介して供給されるデータ電圧（Ｖｄａｔａ）は、スイッチングトランジスタ（Ｔｓｗ１）がターンオンしたときに駆動トランジスタ（Ｔｄｒ）に供給される。第１の電圧（ＥＶＤＤ）は、第１電圧供給ライン（ＰＬＡ）を介して駆動トランジスタ（Ｔｄｒ）および発光素子（ＥＤ）に供給され、第２電圧（ＥＶＳＳ）は、第２電圧供給ライン（ＰＬＢ）を介して発光素子（ＥＤ）に供給される。センシングトランジスタ（Ｔｓｗ２）は、センシング制御ライン（ＳＣＬ）を介して供給されるセンシング制御信号（ＳＳ）によってターンオンまたはターンオフされ、センシングライン（ＳＬ）は、センシングトランジスタ（Ｔｓｗ２）に連結することができる。基準電圧（Ｖｒｅｆ）は、センシングライン（ＳＬ）を介してピクセル１１０に供給され得、駆動トランジスタ（Ｔｄｒ）の特性変化に関連したセンシング信号は、センシングトランジスタ（Ｔｓｗ２）を介してセンシングライン（ＳＬ）に伝送することができる。
【００３５】
本発明に適用される発光表示パネルは、図２Ａに示すような構造で形成することができるが、本発明がこれに限定されるものではない。したがって、本発明に適用される発光表示パネルは、図２Ａに示した構造以外にも様々な形態に変更することができる。
【００３６】
表示パネル１００が液晶表示パネルである場合、表示パネル１００に具備されるピクセル１１０は、図２Ｂに示すように、スイッチングトランジスタ（Ｔｓｗ）、共通電極および液晶を含むことができる。すなわち、ピクセル１１０は、ピクセル駆動回路（ＰＤＣ）および発光部を含み、ピクセル駆動回路（ＰＤＣ）は、スイッチングトランジスタ（Ｔｓｗ）および共通電極（Ｖｃｏｍ）を含み、発光部は液晶を含むことができる。図２Ｂで図面符号Ｃｌｃは、スイッチングトランジスタ（Ｔｓｗ）と連結したピクセル電極に供給されるピクセル電圧と共通電極に供給される共通電圧（Ｖｃｏｍ）により、液晶に形成されるストレージ容量を意味する。
【００３７】
表示パネル１００が液晶表示パネルである場合、表示装置は、液晶表示パネルに光を出力するバックライトをさらに含むことができる。
【００３８】
表示パネル１００には、ピクセル１１０が形成されるピクセル領域を形成し、ピクセル１１０に具備されるピクセル駆動回路（ＰＤＣ）に各種信号を供給する信号ラインが形成されている。
【００３９】
例えば、図２Ａに示すように、ピクセル１１０を含む発光表示パネルで、信号ラインは、ゲートライン（ＧＬ）、データライン（ＤＬ）、センシング制御ライン（ＳＣＬ）、第１電圧供給ライン（ＰＬＡ）、第２電圧供給ライン（ＰＬＢ）およびセンシングライン（ＳＬ）などを含むことができる。
【００４０】
また、図２Ｂに示すように、ピクセル１１０を含む液晶表示パネルで、信号ラインは、ゲートライン（ＧＬ）およびデータライン（ＤＬ）などを含むことができる。
【００４１】
次に、データドライバ３００は、表示パネル１００に付着するチップオンフィルムに備えることができ、制御部４００が備えられているメイン基板にも連結することができる。この場合、チップオンフィルムには、制御部４００とデータドライバ３００と表示パネル１００を電気的に連結させるラインが備えられており、そのために、ラインはメイン基板と表示パネル１００に備えられているパッドと電気的に連結している。メイン基板は、外部システムが装備されている外部基板と電気的に接続する。
【００４２】
データドライバ３００は、表示パネル１００に直接に装着した後、メイン基板と電気的に接続することもできる。
【００４３】
しかし、データドライバ３００は、制御部４００と一緒に一つの集積回路に形成することができ、集積回路は、チップオンフィルムに具備するか、表示パネル１００に直接に装着することもできる。
【００４４】
表示パネル１００が発光表示パネルである場合、データドライバ３００は、発光表示パネルに備えられた駆動トランジスタ（Ｔｄｒ）の特性変化に関連したセンシング信号を発光表示パネルから受信して制御部４００に伝送することもできる。
【００４５】
本発明に係るデータドライバ３００の構成および機能は、以下の図６および図７を参照して、詳細に説明する。
【００４６】
次に、ゲートドライバ２００は、集積回路（Ｉｎｔｅｇｒａｔｅｄ  Ｃｉｒｃｕｉｔ）で構成された後、非表示領域１３０に装着することもでき、非表示領域１３０にゲートインパネル（ＧＩＰ：Ｇａｔｅ  Ｉｎ  Ｐａｎｅｌ）方式を用いて直接に内蔵することもできる。ゲートインパネル方式を用いる場合、ゲートドライバ２００を構成するトランジスタは、表示領域１２０の各ピクセル１１０に具備されるトランジスタと同じ工程を経て非表示領域１３０に備えることができる。
【００４７】
ゲートドライバ２００で生成されたゲートパルスがピクセル１１０に備えられたスイッチングトランジスタ（Ｔｓｗ１またはＴｓｗ）のゲートに供給されるとき、スイッチングトランジスタはターンオンされ、これにより、ピクセルから光を出力することができる。ゲートオフ信号がスイッチングトランジスタ（Ｔｓｗ１またはＴｓｗ）に供給されると、スイッチングトランジスタはターンオフされ、これにより、ピクセルは光を出力しない。ゲートライン（ＧＬ）に供給されるゲート信号（ＧＳ）は、ゲートパルスおよびゲートオフ信号を含む。
【００４８】
本発明に係るゲートドライバ２００の構成および機能は、以下の図４および図５を参照して、詳細に説明する。
【００４９】
最後に、制御部４００は、図３に示すように、外部システム２０から伝送されてきたタイミング同期信号（ＴＳＳ）を用いて、外部システム２０から伝送されてきた入力映像データ（Ｒｉ、Ｇｉ、Ｂｉ）を再整列して、再整列した映像データ（Ｄａｔａ）をデータドライバ３００に供給するためのデータ整列部４３０、タイミング同期信号（ＴＳＳ）を用いて、ゲート制御信号（ＧＣＳ）とデータ制御信号（ＤＣＳ）を生成するための制御信号生成部４２０、タイミング同期信号（ＴＳＳ）と外部システム２０から伝送された入力映像データ（Ｒｉ、Ｇｉ、Ｂｉ）を受信して、データ整列部４３０と制御信号生成部４２０に伝送するための入力部４１０、およびデータ整列部４３０で生成された映像データ（Ｄａｔａ）と制御信号生成部４２０で生成された制御信号（ＤＣＳ、ＧＣＳ）をデータドライバ３００またはゲートドライバ２００に出力するための出力部４４０を含むことができる。
【００５０】
制御部４００は、表示パネル１００に内蔵、又は表示パネル１００に連結したタッチパネルを介して受信したタッチ検出信号を分析して、タッチの有無、およびタッチ位置を感知する機能をさらに行なうこともできる。
【００５１】
制御部４００は、上記で説明したように、外部システム２０から焦点情報を受信し、焦点情報を用いて、表示パネルの解像度を制御する。表示パネルの解像度を制御するためのゲート解像度信号およびデータ解像度信号は、制御信号生成部４２０で生成される。これに対する詳細な説明は、図４〜図１２を参照して、ゲートドライバ２００およびデータドライバ３００を説明するときに一緒に説明する。
【００５２】
外部システム２０は、センサー３０から受信したセンシング情報を用いて、焦点情報を生成する。使用者の目の位置を感知するためのセンサー３０は、目の位置を感知するために、現在用いられている一般的なセンサーであり得る。本発明は、センサー３０および外部システム２０を介して受信した焦点情報を用いて、表示パネルの解像度を変更することを特徴としており、焦点情報を生成する方法は、本発明の範囲外である。すなわち、焦点情報は、現在用いられている様々な方法を介して生成することができ、したがって、以下では、焦点情報が生成される方法の詳細な説明は省略する。
【００５３】
以下では、様々な形態の表示パネルのうち、特に、図２Ａに示すように、発光素子（ＥＤ）を含む発光表示パネルを、本発明に係る表示パネルの一例として説明する。
【００５４】
図４は、本発明に係るゲートドライバの構成を示す例示図であり、図５は、図４に示したステージの構成を示した例示図である。
【００５５】
本発明に係るゲートドライバ２００は、図４に示すように、使用者の目の焦点に対応するゲート解像度制御信号（ＯＧＳ、ＩＧＳ）を出力するゲート解像度制御信号出力装置２１０、ゲートライン（ＧＬ１〜ＧＬｇ）に出力するゲートパルス（ＧＰ）を生成するゲートパルス生成装置２２０および、ゲートパルス生成装置２２０から出力したゲートパルス（ＧＰ１〜ＧＰｇ）を伝送するゲートラインをゲート解像度制御信号（ＯＧＳ、ＩＧＳ）を用いて選択するゲートライン選択装置２３０を含む。
【００５６】
まず、ゲート解像度制御信号出力装置２１０は、制御部４００から順番に伝送されてきたゲート解像度信号（ＧＲＳ）を順番に保存し、順番に保存したゲート解像度信号（ＧＲＳ）を制御部４００から伝送されてきたゲート解像度出力信号（ＧＲＯ）によって同時に出力する。したがって、ゲート解像度信号（ＧＲＳ）およびゲート解像度出力信号（ＧＲＯ）は、ゲート制御信号（ＧＣＳ）に含めることができる。
【００５７】
制御部４００は、焦点情報により、例えば、高解像度で表現するピクセル、中解像度で表現するピクセルおよび低解像度で表現するピクセルの位置を知ることができる。したがって、制御部４００は、高解像度で表現するピクセルに対応する高解像度ゲートライン、中解像度で表現するピクセルに対応する中解像度ゲートラインおよび低解像度で表現するピクセルに対応する低解像度ゲートラインの位置を知ることができる。
【００５８】
したがって、制御部４００は、高解像度のゲートラインを指示するゲート解像度信号（ＧＲＳ）、中解像度ゲートラインを指示するゲート解像度信号（ＧＲＳ）および低解像度ゲートラインを指示するゲート解像度信号（ＧＲＳ）を生成して、ゲート解像度制御信号出力装置２１０に伝送する。
【００５９】
また、制御部４００は、ゲート解像度信号（ＧＲＳ）を同時に出力するタイミングを指示するゲート解像度出力信号（ＧＲＯ）を生成して、ゲート解像度制御信号出力装置２１０に伝送する。
【００６０】
ゲート解像度信号（ＧＲＳ）およびゲート解像度出力信号（ＧＲＯ）は、制御信号生成部４２０でタイミング信号（ＴＳＳ）と焦点情報を用いて生成することができる。
【００６１】
上記のような機能を実行するためには、ゲート解像度制御信号出力装置２１０は、ゲートライン（ＧＬ１〜ＧＬｇ）に対応するゲート解像度信号（ＧＲＳ）を保存するゲート解像度信号保存部２１１およびゲート解像度信号（ＧＲＳ）によって生成されたゲート解像度制御信号（ＯＧＳ、ＩＧＳ）をゲートライン選択装置２３０に伝送するゲート解像度制御信号出力部２１２を含む。
【００６２】
まず、ゲート解像度信号保存部２１１は、制御部４００から順番に伝送されてきゲート解像度信号（ＧＲＳ）を順番に保存し、順番に保存したゲート解像度信号（ＧＲＳ）を同時に出力する機能を実行する。
【００６３】
このため、ゲート解像度信号保存部２１１は、ゲートライン（ＧＬ１〜ＧＬｇ）に対応するゲート解像度信号（ＧＲＳ）を保存し、ゲート解像度信号（ＧＲＳ）を同時に出力するゲート解像度信号保存器２１１ｂおよびゲート解像度信号保存器２１１ｂを順番に駆動して、ゲート解像度信号（ＧＲＳ）がゲート解像度信号保存器２１１ｂに順番に保存されるようにするゲート解像度信号レジスタ２１１ａを含む。
【００６４】
ゲート解像度信号保存器２１１ｂは、メモリの機能を実行する。ゲート解像度信号保存器２１１ｂは、ゲート解像度信号レジスタ２１１ａから出力するゲートシフト信号（ＧＳＳ）によって活性化され、ゲートシフト信号（ＧＳＳ）が供給されるとき、伝送されてきゲート解像度信号（ＧＲＳ）を保存する。
【００６５】
すなわち、ゲート解像度信号保存器２１１ｂは、ゲートシフト信号（ＧＳＳ）によって順番に活性化され、したがって、一つのゲート解像度信号保存器２１１ｂには、一つのゲート解像度信号（ＧＲＳ）が保存される。
【００６６】
すべてのゲート解像度信号保存器２１１ｂにゲート解像度信号（ＧＲＳ）が保存された後、ゲート解像度出力信号（ＧＲＯ）が、すべてのゲート解像度信号保存器２１１ｂに供給されると、すべてのゲート解像度信号保存器２１１ｂは、ゲート解像度出力信号（ＧＲＯ）によって、同時にゲート解像度信号（ＧＲＳ）を出力する。
【００６７】
ゲート解像度信号レジスタ２１１ａは、ゲート解像度信号保存器２１１ｂを順番に駆動して、ゲート解像度信号（ＧＲＳ）がゲート解像度信号保存器２１１ｂに順番に保存されるようにする機能を実行する。
【００６８】
このため、ゲート解像度信号レジスタ２１１ａのそれぞれは、一つのゲート解像度信号保存器２１１ｂに連結される。
【００６９】
ゲート解像度信号レジスタ２１１ａには、制御部４００からゲート解像度信号制御用スタート信号（ＧＳＴ１）および少なくとも一つのゲート解像度信号制御用クロック（ＧＣＫ１）が供給される。ゲート解像度信号制御用スタート信号（ＧＳＴ１）およびゲート解像度信号制御用クロック（ＧＣＫ１）は、ゲート制御信号（ＧＣＳ）に含まれる。
【００７０】
例えば、図４に示したゲートドライバ２００において、ゲート解像度信号レジスタ２１１ａのうちの一番上段に備えられた第１ゲート解像度信号レジスタは、ゲート解像度信号制御用スタート信号（ＧＳＴ１）によって駆動を開始し、ゲート解像度信号制御用クロック（ＧＣＫ１）を用いて、第１ゲートシフト信号を生成し、第１ゲートシフト信号は、ゲート解像度信号保存器２１１ｂのうちの一番上段に備えられた第１ゲート解像度信号保存器に供給される。第１ゲート解像度信号保存器は、第１ゲートシフト信号によって駆動し、第１ゲートシフト信号によって、入力したゲート解像度信号（ＧＲＳ）を保存する。
【００７１】
第１ゲートシフト信号は、第２ゲート解像度信号レジスタに伝送され、これにより、第２ゲート解像度信号レジスタは、駆動を開始する。第１ゲートシフト信号によって駆動した第２ゲート解像度信号レジスタは、ゲート解像度信号制御用クロック（ＧＣＫ１）を用いて、第２ゲートシフト信号を生成し、第２ゲートシフト信号は、第２ゲート解像度信号保存器に供給される。第２ゲート解像度信号保存器は、第２ゲートシフト信号によって駆動し、第２ゲートシフト信号によって、入力したゲート解像度信号（ＧＲＳ）を保存する。
【００７２】
ゲートライン（ＧＬ１〜ＧＬｇ）の数が、図１に示すようにｇ個のとき、上記のような動作は、少なくともｇ回繰り返すことができる。
【００７３】
例えば、第ｇ−１ゲートシフト信号は、第ｇゲート解像度信号レジスタに伝送され、これにより、第ｇゲート解像度信号レジスタは、駆動を開始する。第ｇ−１ゲートシフト信号によって駆動した第ｇゲート解像度信号レジスタは、ゲート解像度信号制御用クロック（ＧＣＫ１）を用いて、第ｇゲートシフト信号を生成し、第ｇゲートシフト信号は、第ｇゲート解像度信号を保存機に供給する。第ｇゲート解像度信号保存器は、第ｇゲートシフト信号によって駆動し、第ｇゲートシフト信号によって、入力したゲート解像度信号（ＧＲＳ）を保存する。
【００７４】
本発明に係る表示装置のゲートドライバが二つ以上備えられ、一つのゲートドライバがｇよりも小さい個数のゲートラインと連結される場合、図４に示したゲートドライバに表示した図面符号ｇは、ｇよりも小さい自然数を表すｅで表示することができる。
【００７５】
第２に、ゲート解像度制御信号出力部２１２は、ゲート解像度信号（ＧＲＳ）によって生成されたゲート解像度制御信号（ＯＧＳ、ＩＧＳ）をゲートライン選択装置２３０に伝送する機能を実行する。
【００７６】
このため、ゲート解像度制御信号出力部２１２は、ゲート解像度信号保存部２１１から出力したゲート解像度信号に対応するオリジナルゲート解像度制御信号（ＯＧＳ）をゲートライン選択装置２３０に伝送するオリジナルゲート解像度制御信号ライン２１２ａ、オリジナルゲート解像度制御信号（ＯＧＳ）を反転させるゲートインバータ２１２ｂおよびゲートインバータ２１２ｂから出力した反転ゲート解像度制御信号（ＩＧＳ）をゲートライン選択装置２３０に伝送する反転ゲート解像度制御信号ライン２１２ｃを含む。
【００７７】
例えば、いずれか一つのゲート解像度信号保存器２１１ｂに保存されていて、出力されたゲート解像度信号は、オリジナルゲート解像度制御信号（ＯＧＳ）となる。オリジナルゲート解像度制御信号（ＯＧＳ）は、オリジナルゲート解像度制御信号ライン２１２ａを介してゲートライン選択装置２３０に伝送される。
【００７８】
いずれか一つのゲート解像度信号保存器２１１ｂから出力されたゲート解像度信号、すなわち、オリジナルゲート解像度制御信号（ＯＧＳ）は、ゲートインバータ２１２ｂによって反転されて反転ゲート解像度制御信号（ＩＧＳ）になる。
【００７９】
反転ゲート解像度制御信号（ＩＧＳ）は、反転ゲート解像度制御信号ライン２１２ｃを介してゲートライン選択装置２３０に伝送される。
【００８０】
この場合、図４に示したゲートドライバ２００のゲート解像度制御信号出力部２１２で一番上段に備えられたオリジナルゲート解像度制御信号ライン２１２ａは、第１オリジナルゲート解像度制御信号（ＯＧＳ１）が出力され、一番上段に備えられた反転ゲート解像度制御信号ライン２１２ｃは、第１反転ゲート解像度制御信号（ＩＧＳ１）が出力され、一番下段に備えられたオリジナルゲート解像度制御信号ライン２１２ａでは、第ｇオリジナルゲート解像度制御信号（ＯＧＳｇ）が出力され、一番下段に備えられた反転ゲート解像度制御信号ライン２１２ｃでは、第ｇ反転ゲート解像度制御信号（ＩＧＳｇ）が出力される。
【００８１】
次に、ゲートパルス生成装置２２０は、ゲートライン（ＧＬ１〜ＧＬｇ）に出力するゲートパルス（ＧＰ）を生成する。
【００８２】
このために、ゲートパルス生成装置２２０は、ゲートパルスを生成するゲートステージ２２１を含む。
【００８３】
ゲートステージ２２１は、順番に駆動して、ゲートパルスを生成する。
【００８４】
ゲートステージ２２１の出力ラインは、ゲートライン選択装置２３０に連結される。
【００８５】
ゲートステージ２２１には、制御部４００からゲートスタート信号（ＧＳＴ２）および少なくとも一つのゲートクロック（ＧＣＫ２）が供給される。ゲートスタート信号（ＧＳＴ２）およびゲートクロック（ＧＣＫ２）は、ゲート制御信号（ＧＣＳ）に含まれる。
【００８６】
例えば、図４に示したゲートドライバで、ゲートステージ２２１のうちの一番上段に備えられた第１ゲートステージは、ゲートスタート信号（ＧＳＴ２）によって駆動を開始し、ゲートクロック（ＧＣＫ２）を用いて、第１ゲートパルス（ＧＰ１）を生成し、第１ゲートパルス（ＧＰ１）は、ゲートラインの中で一番上段に備えられた第１ゲートライン（ＧＬ１）に供給される。
【００８７】
第１ゲートパルス（ＧＰ１）は、第２ゲートステージに伝送され、これにより、第２ゲートステージは駆動を開始する。第１ゲートパルス（ＧＰ１）によって駆動した第２ゲートステージは、ゲートクロック（ＧＣＫ２）を用いて、第２ゲートパルス（ＧＰ２）を生成し、第２ゲートパルスは、第２ゲートライン（ＧＬ２）に供給される。
【００８８】
ゲートライン（ＧＬ１〜ＧＬｇ）の個数が、図１に示すようにｇ個存在するとき、上記のような動作は、少なくともｇ回繰り返すことができる。
【００８９】
例えば、第ｇ−１ゲートパルス（ＧＰｇ−１）は、第ｇゲートステージに伝送され、これにより、第ｇゲートステージは駆動を開始する。第ｇ−１ゲートパルス（ＧＰｇ−１）によって駆動した第ｇゲートステージは、ゲートクロック（ＧＣＫ２）を用いて、第ｇゲートパルス（ＧＰｇ）を生成し、第ｇゲートパルスは、第ｇゲートライン（ＧＬｇ）に供給される。
【００９０】
上記のような機能を実行するためのゲートステージ２２１の例示図を図５に示している。
【００９１】
ゲートステージ２２１は、複数のトランジスタを含む。図５には、四つのトランジスタ（Ｔｓｔ、Ｔｒｓ、Ｔｕ、Ｔｄ）を備えたゲートステージが、本発明に適用されるゲートステージ２２１の一例として示されている。
【００９２】
スタートトランジスタ（Ｔｓｔ）は、スタート信号（Ｖｓｔ）によってターンオンされ、高電圧（ＶＤ）をＱノード（Ｑ）を介してプルアップトランジスタ（Ｔｕ）のゲートに供給する。ここで、スタート信号（Ｖｓｔ）は、制御部４００から伝送されたゲートスタート信号（ＧＳＴ２）になり得、または前段ゲートステージから伝送されたゲートパルス（ＧＰ）になり得る。
【００９３】
プルアップトランジスタ（Ｔｕ）は、高電圧（ＶＤ）によってターンオンされ、クロック（ＣＬＫ）をゲートライン（ＧＬ）に出力する。この場合、ゲートラインには、ハイ値を有するゲートパルス（ＧＰ）が出力される。
【００９４】
スタートトランジスタ（Ｔｓｔ）を通過した高電圧（ＶＤ）は、インバータ（Ｉ）によって低電圧に変換されてＱｂノード（Ｑｂ）を介してプルダウントランジスタ（Ｔｄ）のゲートに供給される。これにより、プルダウントランジスタ（Ｔｄ）は、ターンオフされる。
【００９５】
スタートトランジスタ（Ｔｓｔ）がターンオフされ、リセット信号（Ｒｅｓｔ）によってリセットトランジスタ（Ｔｒｓ）がターンオンされると、第１低電圧（ＶＳＳ１）がリセットトランジスタ（Ｔｒｓ）を介してプルアップトランジスタ（Ｔｕ）に供給され、したがって、プルアップトランジスタ（Ｔｕ）は、ターンオフされる。
【００９６】
第１低電圧（ＶＳＳ１）は、インバータ（Ｉ）によって高電圧に変換されてＱｂノード（Ｑｂ）を介してプルダウントランジスタ（Ｔｄ）のゲートに供給される。これにより、プルダウントランジスタ（Ｔｄ）は、ターンオンされる。この場合、第２低電圧（ＶＳＳ２）がプルダウントランジスタ（Ｔｄ）を介してゲートライン（ＧＬ）に供給される。プルダウントランジスタ（Ｔｄ）を介してゲートラインに供給される第２低電圧（ＶＳＳ２）は、ゲートオフ信号（Ｇｏｆｆ）である。
【００９７】
ゲートパルス（ＧＰ）が、図２Ａに示したピクセル１１０に備えられたスイッチングトランジスタ（Ｔｓｗ１）のゲートに供給されるとき、スイッチングトランジスタ（Ｔｓｗ１）は、ターンオンされ、これにより、ピクセルから映像が出力され得る。ゲートオフ信号（Ｇｏｆｆ）がスイッチングトランジスタ（Ｔｓｗ１）に供給されるとき、スイッチングトランジスタ（Ｔｓｗ１）はターンオフされ、これにより、ピクセルからは、映像が出力されない。
【００９８】
ここで、ゲートパルス（ＧＰ）およびゲートオフ信号（Ｇｏｆｆ）を総称して、ゲート信号（ＧＳ）とする。すなわち、ゲートステージ２２１は、ゲートパルス（ＧＰ）およびゲートオフ信号（Ｇｏｆｆ）をゲートライン（ＧＬ）に出力する。
【００９９】
しかし、ゲートステージ２２１の構造および機能は、図５と上記で説明した構造および機能以外にも、さまざまなに変更することができる。
【０１００】
ゲート解像度信号レジスタ２１１ａも、図５に示したゲートステージ２２１と類似な形態で形成することができる。すなわち、ゲートステージ２２１は、順番に駆動して、ゲートパルス（ＧＰ）を出力し、ゲート解像度信号レジスタ２１１ａは、順番に駆動して、ゲートシフト信号（ＧＳＳ）を出力する。
【０１０１】
最後に、ゲートライン選択装置２３０は、ゲートパルス生成装置２２０から出力したゲートパルスが伝送されるゲートラインをゲート解像度制御信号（ＯＧＳ、ＩＧＳ）を用いて選択する機能を実行する。
【０１０２】
そのために、ゲートライン選択装置２３０は、ゲート直列スイッチ２３１およびゲート並列スイッチ２３２を含む。
【０１０３】
ゲート直列スイッチ２３１のそれぞれは、ゲートステージ２２１とゲートラインを１対１で連結させる。
【０１０４】
ゲート並列スイッチ２３２のそれぞれは、互いに隣接している二つのゲートラインを１対１で連結させる。
【０１０５】
ゲート直列スイッチ２３１のそれぞれは、ゲート解像度制御信号出力装置２１０から出力したオリジナルゲート解像度制御信号（ＯＧＳ）によってターンオンまたはターンオフされ、ゲート並列スイッチ２３２のそれぞれは、ゲート解像度制御信号出力装置２１０から出力した反転ゲート解像度制御信号（ＩＧＳ）によってターンオンまたはターンオフされる。
【０１０６】
上記で説明したように、反転ゲート解像度制御信号（ＩＧＳ）は、オリジナルゲート解像度制御信号（ＯＧＳ）を反転させる信号である。
【０１０７】
この場合、図４に示したゲートライン選択装置２３０で、一番上段に備えられたゲート直列スイッチ２３１は、第１ゲート直列スイッチ（Ｓ１）であり、その下に備えられたゲート直列スイッチは、第２ゲート直列スイッチ（Ｓ２）であり、その下に備えられたゲート直列スイッチは、第３ゲート直列スイッチ（Ｓ３）〜第ｇゲート直列スイッチ（Ｓｇ）となる。
【０１０８】
また、図４に示したゲートライン選択装置２３０で、一番上段に備えられたゲート並列スイッチ２３２は、第２ゲート並列スイッチ（Ｐ２）であり、その下に備えられたゲート並列スイッチは、第３ゲート並列スイッチ（Ｐ３）であり、その下に備えられたゲート並列スイッチは、第４ゲート並列スイッチ（Ｐ４）〜第ｇゲート並列スイッチ（Ｐｇ）となる。
【０１０９】
ゲート直列スイッチ２３１のうち、第ｍ（ｍはｇよりも小さい自然数）ゲート直列スイッチがターンオンすると、第ｍゲートステージから第ｍゲート直列スイッチに伝送される第ｍゲートパルスは、第ｍゲート直列スイッチと連結した第ｍゲートラインに出力される。
【０１１０】
この場合、第ｍゲートパルスは、第ｍゲートラインと連結している少なくとも一つのゲート並列スイッチ（例えば、第ｍ＋１ゲート並列スイッチ）を介して第ｍゲートラインと隣接している少なくとも一つのゲートライン（例えば、第ｍ＋１ゲートライン）に出力することができる。
【０１１１】
例えば、図４において、第１ゲート直列スイッチ（Ｓ１）がターンオンされると、第１ゲートステージから第１ゲート直列スイッチ（Ｓ１）に伝送される第１ゲートパルス（ＧＰ１）は、第１ゲート直列スイッチ（Ｓ１）と連結した第１ゲートライン（ＧＬ１）に出力される。
【０１１２】
また、第１ゲートパルス（ＧＰ１）は、第１ゲートライン（ＧＬ１）と連結している少なくとも一つのゲート並列スイッチ、例えば、第２ゲート並列スイッチ（Ｐ２）を介して第１ゲートラインと隣接している少なくとも一つのゲートライン、例えば、第２ゲートライン（ＧＬ２）に出力することができる。この場合、第１ゲートパルス（ＧＰ１）は、第３ゲート並列スイッチ（Ｐ３）を介して第３ゲートライン（ＧＬ３）に出力することもでき、第４ゲート並列スイッチを介して第４ゲートライン（ＧＬ４）に出力こともできる。すなわち、第１ゲートライン（ＧＬ１）から第４ゲートライン（ＧＬ４）には、同時に、第１ゲートパルス（ＧＰ１）を出力することができる。
【０１１３】
また、第ｍゲートパルスは、第ｍゲートラインと連結している少なくとも一つのゲート並列スイッチを介して、第ｍゲートステージの次段に備えられたゲートステージのうちのいずれか一つのステージに伝送することができる。
【０１１４】
例えば、図４において、第１ゲートパルス（ＧＰ１）は、第１ゲートライン（ＧＬ１）と連結している少なくとも一つのゲート並列スイッチ、例えば、第２ゲート並列スイッチ（Ｐ２）を介して第１ゲートステージの次段に備えられたゲートステージ、例えば、第２ゲートステージに伝送することができる。この場合、第１ゲートパルス（ＧＰ１）は、第２ゲート並列スイッチ（Ｐ２）および第３ゲート並列スイッチ（Ｐ３）を介して第３ゲートステージに出力することもでき、第２ゲート並列スイッチ（Ｐ２）、第３ゲート並列スイッチ（Ｐ３）および第４ゲート並列スイッチを介して第４ゲートステージに出力することもできる。すなわち、第１ゲートステージが駆動した後、第２ゲートステージが駆動することもあり、第３ゲートステージが駆動することもあり、第４ゲートステージが駆動することもある。
【０１１５】
上記のような方法で、ゲートステージ２２１は、様々な順序で駆動し、ゲートパルス（ＧＰ）を生成することができ、同じゲートパルスを出力するゲートラインの組み合わせも多様に変更することができる。
【０１１６】
上記のような本発明によれば、すべてのゲートステージ２２１が駆動しなくても、すべてのゲートライン（ＧＬ１〜ＧＬｇ）にゲートパルス（ＧＰ１〜ＧＰｇ）が供給され得る。したがって、本発明によれば、ゲートステージ２２１を駆動するための消費電力を低減することができる。
【０１１７】
さらに、ゲートライン選択装置２３０とゲートラインの間には、ゲートバッファ装置をさらに備えることができる。ゲートバッファ装置は、同じゲートパルスをゲートラインに同時に出力する機能を実行することができる。
【０１１８】
すなわち、上記で説明したように、隣接している少なくとも二つのゲートラインには、同じゲートパルスを供給することができる。この場合、同一のゲートパルスが、実質的にゲートラインに出力されるタイミングが、様々な原因によって変わったら、映像が正常に表現されない場合があり得る。これを防止するためには、ゲートライン選択装置２３０とゲートラインの間には、ゲートバッファ装置をさらに備えることができる。ゲートバッファ装置は、ゲートラインと連結しているゲートバッファを含むことができる。
【０１１９】
図６は、本発明に係るデータドライバの構成を示す例示図であり、図７は、図６に示したデータバッファ装置の構成を示した例示図である。
【０１２０】
本発明に係るデータドライバ３００は、図６に示すように、使用者の目の焦点に対応するデータ解像度制御信号（ＯＤＳ、ＩＤＳ）を出力するデータ解像度制御信号出力装置３１０、映像データ（Ｄａｔａ）を保存するラッチ装置３４０、ラッチ装置に備えられたラッチ３４１が映像データ（Ｄａｔａ）を保存するようにするデータ保存制御信号（Ｃ１〜Ｃｄ）を生成するシフトレジスタ装置３２０、シフトレジスタ装置３２０から出力したデータ保存制御信号（Ｃ１〜Ｃｄ）を伝送するラッチをデータ解像度制御信号（ＯＤＳ、ＩＤＳ）を用いて選択するラッチ選択装置３３０、ラッチ装置３４０から伝送された映像データを用いて、データラインに出力するデータ電圧（Ｖｄａｔａ１〜Ｖｄａｔａｄ）を生成するデジタルアナログ変換装置３５０およびデータ電圧（Ｖｄａｔａ１〜Ｖｄａｔａｄ）をデータライン（ＤＬ１〜ＤＬｄ）に同時に出力するデータバッファ装置３６０を含む。
【０１２１】
まず、データ解像度制御信号出力装置３１０は、制御部４００から順番に伝送されてきたデータ解像度信号（ＤＲＳ）を順番に保存し、順番に保存したデータ解像度信号（ＤＲＳ）を制御部４００から伝送されてきたデータ解像度出力信号（ＤＲＯ）によって同時に出力する。したがって、データ解像度信号（ＤＲＳ）およびデータ解像度出力信号（ＤＲＯ）は、データ制御信号（ＤＣＳ）に含めることができる。
【０１２２】
制御部４００は、焦点情報により、例えば、高解像度で表現されるピクセル、中解像度で表現されるピクセルおよび低解像度で表現されるピクセルの位置を知ることができる。したがって、制御部４００は、高解像度で表現されるピクセルに対応する高解像度データライン、中解像度で表現されるピクセルに対応する中解像度データラインと低解像度で表現されるピクセルに対応する低解像度データラインの位置を知ることができる。
【０１２３】
したがって、制御部４００は、高解像度データラインを指示するデータ解像度信号（ＤＲＳ）、中解像度データラインを指示するデータ解像度信号（ＤＲＳ）および低解像度データラインを指示するデータ解像度信号（ＤＲＳ）を生成して、データ解像度制御信号出力装置３１０に伝送する。
【０１２４】
また、制御部４００は、データ解像度信号（ＤＲＳ）が同時に出力されるタイミングを指示するデータ解像度出力信号（ＤＲＯ）を生成して、データ解像度制御信号出力装置３１０に伝送する。
【０１２５】
データ解像度信号（ＤＲＳ）およびデータ解像度出力信号（ＧＲＯ）は、制御信号生成部４２０でタイミング信号（ＴＳＳ）と焦点情報を用いて生成することができる。
【０１２６】
上記のような機能を実行するためには、データ解像度制御信号出力装置３１０は、データライン（ＤＬ１〜ＤＬｄ）に対応するデータ解像度信号（ＤＲＳ）を保存するデータ解像度信号保存部３１１、およびデータ解像度信号（ＤＲＳ）によって生成されたデータ解像度制御信号（ＯＤＳ、ＩＤＳ）をラッチ選択装置３３０に伝送するデータ解像度制御信号出力部３１２を含む。
【０１２７】
第１に、データ解像度信号保存部３１１は、制御部４００から順番に伝送されてきたデータ解像度信号（ＤＲＳ）を順番に保存し、順番に保存したデータ解像度信号（ＤＲＳ）を同時に出力する機能を実行する。
【０１２８】
そのために、データ解像度信号保存部３１１は、データライン（ＤＬ１〜ＤＬｄ）に対応するデータ解像度信号（ＤＲＳ）を保存し、データ解像度信号（ＤＲＳ）を同時に出力するデータ解像度信号保存器３１１ｂおよびデータ解像度信号保存器３１１ｂを順番に駆動して、データ解像度信号（ＤＲＳ）がデータ解像度信号保存器３１１ｂに保存されるようにするデータ解像度信号レジスタ３１１ａを含む。
【０１２９】
データ解像度信号保存器３１１ｂは、メモリ機能を実行する。データ解像度信号保存器３１１ｂは、データ解像度信号レジスタ３１１ａから出力されるデータシフト信号（ＤＳＳ）によって活性化され、データシフト信号（ＤＳＳ）が供給されるときに伝送されてきたデータ解像度信号（ＤＲＳ）を保存する。
【０１３０】
すなわち、データ解像度信号保存器３１１ｂは、データシフト信号（ＤＳＳ）によって順番に活性化され、したがって、一つのデータ解像度信号保存器３１１ｂには、一つのデータ解像度信号（ＤＲＳ）が保存される。
【０１３１】
すべてのデータ解像度信号保存器３１１ｂにデータ解像度信号（ＤＲＳ）が保存された後、データ解像度出力信号（ＤＲＯ）が、すべてのデータ解像度信号保存器３１１ｂに供給されると、すべてのデータ解像度信号保存器３１１ｂは、データ解像度出力信号（ＤＲＯ）によって、同時にデータ解像度信号（ＤＲＳ）を出力する。
【０１３２】
データ解像度信号レジスタ３１１ａは、データ解像度信号保存器３１１ｂを順番に駆動して、データ解像度信号（ＤＲＳ）がデータ解像度信号保存器３１１ｂに順番に保存されるようにする機能を実行する。
【０１３３】
そのために、データ解像度信号レジスタ３１１ａのそれぞれは、一つのデータ解像度信号保存器３１１ｂに連結される。
【０１３４】
データ解像度信号レジスタ３１１ａには、制御部４００からデータ解像度信号制御用スタート信号（ＤＳＴ１）および少なくとも一つのデータ解像度信号制御クロック（ＤＣＫ１）が供給される。データ解像度信号制御用スタート信号（ＤＳＴ１）およびデータ解像度信号制御クロック（ＤＣＫ１）は、データ制御信号（ＤＣＳ）に含まれる。
【０１３５】
例えば、図６に示したデータドライバ３００において、データ解像度信号レジスタ３１１ａのうち一番左側に備えられた第１データ解像度信号レジスタは、データ解像度信号制御用スタート信号（ＤＳＴ１）によって駆動を開始し、データ解像度信号制御クロック（ＤＣＫ１）を用いて、第１データシフト信号を生成し、第１データシフト信号は、データ解像度信号保存器３１１ｂのうち一番左側に備えられた第１データ解像度信号保存器に供給される。第１データ解像度信号保存器は、第１データシフト信号によって駆動し、第１データシフト信号によって、入力したデータ解像度信号（ＤＲＳ）を保存する。
【０１３６】
第１データシフト信号は、第２データ解像度信号レジスタに伝送され、これにより、第２データ解像度信号レジスタは、駆動を開始する。第１データシフト信号によって駆動した第２データ解像度信号レジスタは、データ解像度信号制御クロック（ＤＣＫ１）を用いて、第２データシフト信号を生成し、第２データシフト信号は、第２データ解像度信号保存器に供給される。第２データ解像度信号保存器は、第２データシフト信号によって駆動し、第２データシフト信号によって、入力したデータ解像度信号（ＤＲＳ）を保存する。
【０１３７】
データライン（ＧＬ１〜ＧＬｇ）の個数が、図１に示すようにｄ個存在するとき、上記のような動作は、少なくともｄ回繰り返すことができる。
【０１３８】
例えば、第ｄ−１データシフト信号は、第ｄデータ解像度信号レジスタに伝送され、これにより、第ｄデータ解像度信号レジスタは、駆動を開始する。第ｄ−１データシフト信号によって駆動した第ｄデータ解像度信号レジスタは、データ解像度信号制御クロック（ＤＣＫ１）を用いて、第ｄデータシフト信号を生成し、第ｄデータシフト信号は、第ｄデータ解像度信号保存器に供給される。第ｄデータ解像度信号￥を保存器は、第ｄデータシフト信号によって駆動し、第ｄデータシフト信号によって、入力したデータ解像度信号（ＤＲＳ）を保存する。
【０１３９】
データ解像度信号レジスタ３１１ａのそれぞれは、図５を参照して説明した、ゲートステージ２２１の構成と同様の構成を含むことができる。
【０１４０】
本発明に係る表示装置にデータドライバが二つ以上備えられ、一つのデータドライバがｄよりも小さい数のデータラインと連結する場合、図６に示したデータドライバに表示された図面符号ｄは、ｄよりも小さい自然数を示すｑで表示することができる。
【０１４１】
第２に、データ解像度制御信号出力部３１２は、データ解像度信号（ＤＲＳ）によって生成されたデータ解像度制御信号（ＯＤＳ，ＩＤＳ）をラッチ選択装置３３０に伝送する機能を実行する。
【０１４２】
そのために、データ解像度制御信号出力部３１２は、データ解像度信号保存部３１１から出力したデータ解像度信号に対応するオリジナルデータ解像度制御信号（ＯＤＳ）をラッチ選択装置３３０に伝送するオリジナルデータ解像度制御信号ライン３１２ａ、オリジナルデータ解像度制御信号（ＯＤＳ）を反転させるデータインバータ３１２ｂおよびデータインバータ３１２ｂから出力した反転データ解像度制御信号（ＩＤＳ）をラッチ選択装置３３０に伝送する反転データ解像度制御信号ライン３１２ｃを含む。
【０１４３】
例えば、いずれか一つのデータ解像度信号保存器３１１ｂに保存されていて、出力したデータ解像度信号は、オリジナルデータ解像度制御信号（ＯＤＳ）となる。オリジナルデータ解像度制御信号（ＯＤＳ）は、オリジナルデータ解像度制御信号ライン３１２ａを介してラッチ選択装置３３０に伝送される。
【０１４４】
いずれか一つのデータ解像度信号保存器３１１ｂから出力したデータ解像度信号、すなわち、オリジナルデータ解像度制御信号（ＯＤＳ）は、データインバータ３１２ｂによって反転されて反転データ解像度制御信号（ＩＤＳ）になる。
【０１４５】
反転データ解像度制御信号（ＩＤＳ）は、反転データ解像度制御信号ライン３１２ｃを介してラッチ選択装置３３０に伝送される。
【０１４６】
この場合、図６に示したデータドライバ３００のデータ解像度制御信号出力部３１２で一番左側に備えられたオリジナルデータ解像度制御信号ライン３１２ａでは、第１オリジナルデータ解像度制御信号（ＯＤＳ１）が出力され、一番左側に備えられた反転データ解像度制御信号ライン３１２ｃでは、第１反転データ解像度制御信号（ＩＤＳ１）が出力され、一番右側に備えられたオリジナルデータ解像度制御信号ライン３１２ａでは、第ｄオリジナルデータ解像度制御信号（ＯＤＳｄ）が出力され、一番右側に備えられた反転データ解像度制御信号ライン３１２ｃでは、第ｄ反転データ解像度制御信号（ＩＤＳｄ）が出力される。
【０１４７】
次に、シフトレジスタ装置３２０は、データ保存制御信号（Ｃ）を生成する。
【０１４８】
そのために、シフトレジスタ装置３２０は、データ保存制御信号（Ｃ）を生成するデータステージ３２１を含む。
【０１４９】
データステージ３２１は、順番に駆動して、データ保存する制御信号（Ｃ）を生成する。
【０１５０】
データステージ３２１の出力ラインは、ラッチ選択装置３３０に連結される。
【０１５１】
データステージ３２１には、制御部４００からデータスタート信号（ＤＳＴ２）および少なくとも一つのデータクロック（ＤＣＫ２）が供給される。データスタート信号（ＤＳＴ２）およびデータクロック（ＤＣＫ２）は、データ制御信号（ＤＣＳ）に含まれる。
【０１５２】
例えば、図６に示したデータドライバ３００において、データステージ３２１のうち一番左側に備えられた第１データステージは、データスタート信号（ＤＳＴ２）によって駆動を開始して、データクロック（ＤＣＫ２）を用いて、第１データ保存制御信号（Ｃ１）を生成し、第１データ保存制御信号（Ｃ１）は、ラッチ装置３４０に備えられたラッチ３４１のうち一番左側に備えられた第１ラッチと、第１データステージを連結させる第１補助データラインに供給される。
【０１５３】
第１データ保存制御信号（Ｃ１）は、第２データステージに伝送され、これにより、第２データステージは駆動を開始する。第１データ保存制御信号（Ｃ１）によって駆動した第２データステージは、データクロック（ＤＣＫ２）を用いて、第２データ保存制御信号（Ｃ２）を生成し、第２データ保存制御信号（Ｃ２）は、第２補助データラインに供給される。
【０１５４】
データライン（ＤＬ１〜ＤＬｄ）の個数が、図１に示すようにｄ個存在するとき、上記のような動作は、少なくともｄ回繰り返すことができる。
【０１５５】
例えば、第ｄ−１データ保存制御信号（Ｃｄ−１）は、第ｄデータステージに伝送され、これにより、第ｄデータステージは駆動を開始する。第ｄ−１データ保存制御信号（Ｃｄ−１）によって駆動した第ｄデータステージは、データクロック（ＤＣＫ２）を用いて、第ｄデータ保存制御信号（Ｃｄ）を生成し、第ｄデータ保存制御信号（Ｃｄ）は、図６に示したラッチ３４１のうち一番右側に備えられた第ｄラッチに供給される。
【０１５６】
データステージ３２１は、図５を参照して説明したゲートステージ２２１の構成と同様の構成を含むことができる。
【０１５７】
次に、ラッチ選択装置３３０は、シフトレジスタ装置３２０から出力したデータ保存制御信号（Ｃ１〜Ｃｄ）が伝送される補助データラインを、データ解像度制御信号（ＯＤＳ、ＩＤＳ）を用いて選択する機能を実行する。
【０１５８】
このため、ラッチ選択装置３３０は、データ直列スイッチ３３１およびデータ並列スイッチ３３２を含む。
【０１５９】
データ直列スイッチ３３１のそれぞれは、データステージ３２１とラッチ３４１を１対１で連結させる。
【０１６０】
データ並列スイッチ３３２のそれぞれは、データ直列スイッチ３３１とラッチ３４１を１対１で連結させる補助データラインのうち、互いに隣接している二つの補助データラインを１対１で連結させる。
【０１６１】
データ直列スイッチ３３１のそれぞれは、データ解像度制御信号出力装置３１０から出力したオリジナルデータ解像度制御信号（ＯＤＳ）によってターンオンまたはターンオフされ、データ並列スイッチ３３２のそれぞれは、データ解像度制御信号出力装置３１０から出力した反転データ解像度制御信号（ＩＤＳ）によってターンオンまたはターンオフされる。
【０１６２】
上記で説明したように、反転データ解像度制御信号（ＩＤＳ）は、オリジナルデータ解像度制御信号（ＯＤＳ）を反転させた信号である。
【０１６３】
この場合、図６に示したラッチ選択装置３３０で、一番左側に備えられたデータ直列スイッチ３３１は、第１データ直列スイッチ（Ｒ１）であり、その右側に備えられたデータ直列スイッチは第２データ直列スイッチ（Ｒ２）であり、その右側に備えられたデータ直列スイッチは、第３データ直列スイッチ（Ｒ３）〜第ｄデータ直列スイッチ（Ｒｄ）になる。
【０１６４】
また、図６に示したラッチ選択装置３３０で、一番左側に備えられたデータ並列スイッチ３３２は、第２データ並列スイッチ（Ｋ２）であり、その右側に備えられたデータ並列スイッチは、第３ゲート並列スイッチ（Ｋ３）であり、その右側に備えられたデータ並列スイッチは、第４データ並列スイッチ（Ｋ４）〜第ｄデータ並列スイッチ（Ｋｄ）となる。
【０１６５】
データ直列スイッチ３３１のうち、第ｍデータ直列スイッチがターンオンされると、第ｍデータステージから第ｍデータ直列スイッチに伝送される第ｍのデータ保存制御信号は、第ｍデータ直列スイッチと連結した第ｍ補助データラインを介して第ｍラッチに出力される。
【０１６６】
この場合、第ｍデータ保存制御信号は、第ｍ補助データラインと連結している少なくとも一つのデータ並列スイッチ（例えば、第ｍ＋１データ並列スイッチ）を介して、第ｍ補助データラインと隣接している少なくとも一つの補助データライン（例えば、第ｍ＋１補助データライン）に出力することができる。
【０１６７】
例えば、図６において、第１データ直列スイッチ（Ｒ１）がターンオンすると、第１データステージから第１データ直列スイッチ（Ｒ１）に伝送される第１データ保存制御信号（Ｃ１）は、第１データ直列スイッチ（Ｒ１）と連結した第１補助データラインを介して第１ラッチに出力される。
【０１６８】
また、第１データ保存制御信号（Ｃ１）は、第１補助データラインと連結している少なくとも一つのデータ並列スイッチ３３２、例えば、第２データ並列スイッチ（Ｋ２）を介して第１補助データラインと隣接している少なくとも一つの補助データライン、例えば、第２補助データラインに出力することができる。第２補助データラインに出力された第１データ保存制御信号（Ｃ１）は、第２ラッチに出力することができる。この場合、第１データ保存制御信号（Ｃ１）は、第３データ並列スイッチ（Ｋ３）を介して第３補助データラインに供給した後、第３ラッチに出力することもあり、第４データ並列スイッチを介して第４補助データラインに供給した後、第４ラッチに出力することもできる。すなわち、第１補助データラインないし第４補助データラインには、同時に、第１データ保存制御信号（Ｃ１）を出力することができる。
【０１６９】
また、第ｍデータ保存制御信号は、第ｍ補助データラインと連結している少なくとも一つのデータ並列スイッチを介して、第ｍのラッチの次段に備えられたラッチのうちのいずれか一つのラッチに伝送することができる。
【０１７０】
例えば、図６において、第１データ保存制御信号（Ｃ１）は、第１補助データラインと連結している少なくとも一つのデータ並列スイッチ、例えば、第２データ並列スイッチ（Ｋ２）を介して第１データステージの次段に備えられたデータステージ、例えば、第２データステージに伝送され得る。この場合、第１データ保存制御信号（Ｃ１）は、第２データ並列スイッチ（Ｋ２）および第３データ並列スイッチ（Ｋ３）を介して第３データステージに出力することもでき、第２データ並列スイッチ（Ｋ２）、第３データ並列スイッチ（Ｋ３）および第４データ並列スイッチを介して、第４データステージに出力することもできる。すなわち、第１データステージが駆動した後、第２データステージが駆動することもでき、第３データステージが駆動することもでき、第４データステージが駆動することもできる。
【０１７１】
上記のような方法で、データステージ３２１は、様々な順序で駆動し、データ保存制御信号（Ｃ）を生成することができ、同じデータを保存制御信号を出力する補助データラインの組み合わせも多様に変更することができる。
【０１７２】
上記のような本発明によれば、すべてのデータステージ３２１が駆動しなくても、すべての補助データラインにデータ保存制御信号（Ｃ１〜Ｃｄ）が供給され得、これにより、すべてのラッチ３４１に映像データを保存することができる。したがって、本発明によれば、データステージ３２１を駆動するための消費電力を低減することができる。
【０１７３】
次に、ラッチ装置３４０は、制御部４００から伝送されてきた映像データ（Ｄａｔａ）をデータ保存制御信号（Ｃ）によって順番に保存する。
【０１７４】
例えば、第１データ保存制御信号（Ｃ１）が第１ラッチに供給されると、第１ラッチは、第１映像データを保存し、第２データ保存制御信号（Ｃ２）が第２ラッチに供給されると、第２ラッチは、第２映像データを保存し、第３データ保存制御信号（Ｃ３）が第３ラッチに供給されると、第３ラッチは、第３映像データを保存する。
【０１７５】
しかし、上記で説明したような方法により、第１データ保存制御信号（Ｃ１）が、第１ラッチないし第４ラッチに供給されると、第１ラッチないし第４ラッチは、同時に駆動され、これにより、第１ラッチないし第４ラッチすべては、第１映像データを保存する。また、第１ラッチないし第４ラッチに第１映像データが保存された後、第５ラッチに第５データ保存制御信号（Ｃ５）が供給されると、第５ラッチは、第２映像データを保存する。この場合、第５データ保存制御信号（Ｃ５）は、実質的には、第１データ保存制御信号（Ｃ１）によって生成される信号である。
【０１７６】
すなわち、本発明によれば、ラッチ３４１に保存される映像データは、すべて異なることがあり、隣接している少なくとも二つのラッチ３４１は、同一の映像データを保存することもできる。
【０１７７】
より詳しく説明すると、ラッチ３４１は、データ保存制御信号（Ｃ）によって活性化され、映像データを保存する。したがって、同じデータ保存制御信号（Ｃ）が、少なくとも二つのラッチ３４１に同時に供給されると、二つのラッチ３４１は、同一の映像データを保存することができる。
【０１７８】
したがって、本発明によれば、ラッチ３４１に映像データが保存される期間が減少し得る。
【０１７９】
次に、デジタルアナログ変換装置３５０は、ラッチ装置３４０から伝送された映像データを用いて、データラインに出力するデータ電圧を生成する。
【０１８０】
そのために、ラッチ３４１は、データ制御信号（ＤＣＳ）によって同時に映像データをデジタルアナログ変換装置３５０の変換部３５１に供給し、変換部３５１のそれぞれは、ガンマ信号を用いて映像データをデータ電圧（Ｖｄａｔａ１〜Ｖｄａｔａｄ）に変換させる。
【０１８１】
すなわち、変換部３５１は、デジタル形式の映像データをアナログ形式のデータ電圧（Ｖｄａｔａ１〜Ｖｄａｔａｄ）に変換する機能を実行する。
【０１８２】
最後に、データバッファ装置３６０は、デジタルアナログ変換装置３５０で生成されたデータ電圧（Ｖｄａｔａ１〜Ｖｄａｔａｄ）をデータライン（ＤＬ１〜ＤＬｄ）に同時に出力する機能を実行する。
【０１８３】
すなわち、上記で説明したように、隣接している少なくとも二つのデータラインには、同じデータ電圧が供給され得る。この場合、同一のデータ電圧が実質的にデータラインに出力されるタイミングが、様々な原因によって変われば、映像が正常に表現されない場合があり得る。これを防止するために、デジタルアナログ変換装置３５０とデータラインの間には、データバッファ装置３６０が備えられる。
【０１８４】
より詳しく説明すると、データバッファ装置３６０は、ゲートラインにゲートパルスが供給される期間に含まれる１水平期間中、すべてのデータライン（ＤＬ１〜ＤＬｄ）にデータ電圧を同時に出力する。このため、デジタルアナログ変換装置３５０とデータラインの間には、データバッファ装置３６０が備えられる。
【０１８５】
データバッファ装置３６０は、図６に示すように、データライン（ＤＬ１〜ＤＬｄ）と連結しているデータバッファ３６１を含むことができる。
【０１８６】
データバッファ３６１の消費電力を低減させるため、データバッファ装置３６０は、図７の（ｂ）に示すような形態で構成することもできる。
【０１８７】
例えば、データバッファ装置３６０は、図７の（ｂ）に示すように、デジタルアナログ変換装置３５０を構成する変換部３５１と１対１で連結したデータバッファ３６１およびバッファ並列スイッチ３６２を含む。
【０１８８】
バッファ並列スイッチ３６２のそれぞれは、互いに隣接している二つのデータラインを１対１で連結させる。特に、図７の（ｂ）に示したバッファ並列スイッチ３６２の中で一番左側に備えられたバッファ並列スイッチは、第２バッファスイッチであり、その右側に備えられたバッファ並列スイッチは、第３バッファスイッチ〜第１３バッファスイッチとなる。
【０１８９】
この場合、バッファ並列スイッチ３６２のそれぞれは、データ解像度制御信号出力装置３１０から出力した反転データ解像度制御信号（ＩＤＳ）によってターンオンまたはターンオフされる。すなわち、データバッファ装置３６０に備えられるバッファ並列スイッチ３６２と、ラッチ選択装置３３０に具備されるデータ並列スイッチ３３２には、同じ反転データ解像度制御信号（ＩＤＳ）が供給される。したがって、バッファ並列スイッチ３６２とデータ並列スイッチ３３２は、同じ形態でターンオンまたはターンオフされる。
【０１９０】
データバッファ３６１のそれぞれは、データバッファ制御信号（ＰＤ）によって駆動し、デジタルアナログ変換装置３５０から伝送されてきたデータ電圧をデータラインに出力する。すなわち、データバッファ３６１は、データバッファ制御信号（ＰＤ）によってデータ電圧をデータラインに出力することができ、またはデータバッファ制御信号（ＰＤ）によってデータ電圧をデータラインに出力しないことができる。
【０１９１】
このため、図７の（ｂ）に示したデータバッファ３６１のうち一番左側に備えられた第１データバッファには、第１データバッファ制御信号（ＰＤ１）が供給され、その右側に備えされたデータバッファには、第２データバッファ制御信号（ＰＤ２）〜第１２データバッファ制御信号（ＰＤ１２）が供給され得る。
【０１９２】
いずれか一つのデータバッファ３６１を介して供給されたデータ電圧は、いずれか一つのデータラインにのみ出力したり、または少なくとも一つのバッファ並列スイッチ３６２を介して、少なくとも二つのデータラインに出力することができる。
【０１９３】
例えば、データバッファ制御信号（ＰＤ）および反転データ解像度制御信号（ＩＤＳ）が、図７の（ａ）に示すように構成されるとき、ｏｆｆ値を有する第１データバッファ制御信号（ＰＤ１）により、第１データバッファは、第１データ電圧（Ｖｄａｔａ１）をデータラインに出力する。この場合、ｏｎ値を有する第２反転データ解像度制御信号（ＩＤＳ２）ないし第４反転データ解像度制御信号（ＩＤＳ４）により、第２バッファ並列スイッチないし第４バッファ並列スイッチはターンオンされ、これにより、第１データライン（ＤＬ１）ないし第４データライン（ＤＬ４）には、同じデータ電圧が出力される。以下の説明では、同一のデータ電圧が出力される四つのデータラインを第１データライングループ（Ｄ＿Ｇｒｏｕｐ１）とする。第１データライングループ（Ｄ＿Ｇｒｏｕｐ１）によって、低解像度が具現され得る。
【０１９４】
さらに、データバッファ制御信号（ＰＤ）および反転データ解像度制御信号（ＩＤＳ）が、図７の（ａ）に示すように構成されるとき、ｏｆｆ値を有する第５データバッファ制御信号（ＰＤ５）によって第５データバッファは、第５データ電圧（Ｖｄａｔａ５）をデータラインに出力する。この場合、ｏｎ値を有する第６反転データ解像度制御信号（ＩＤＳ６）により、第６バッファ並列スイッチはターンオンされ、これにより、第５データライン（ＤＬ５）および第６データライン（ＤＬ６）には、同じデータ電圧が出力される。以下の説明では、同一のデータ電圧が出力される二つのデータラインを第２データライングループ（Ｄ＿Ｇｒｏｕｐ２）とする。第２データライングループ（Ｄ＿Ｇｒｏｕｐ２）により、中解像度が具現され得る。この場合、第７データライン（ＤＬ７）および第８データライン（ＤＬ８）にも同じデータ電圧が出力される。したがって、第７データライン（ＤＬ７）および第８データライン（ＤＬ８）は、第２データライングループ（Ｄ＿Ｇｒｏｕｐ２）を形成する。
【０１９５】
さらに、データバッファ制御信号（ＰＤ）および反転データ解像度制御信号（ＩＤＳ）が、図７の（ａ）に示すように構成されるとき、ｏｆｆ値を有する第９データバッファ制御信号（ＰＤ９）ないし第１２データバッファ制御信号（ＰＤ１２）により、第９データバッファないし第１２データバッファは、第９データ電圧（Ｖｄａｔａ９）ないし第１２データ電圧（Ｖｄａｔａ１２）を第９データライン（ＤＬ９）ないし第１２データライン（ＤＬ１２）に出力する。この場合、ｏｆｆ値を有する第９反転データ解像度制御信号（ＩＤＳ９）ないし第１２反転データ解像度制御信号（ＩＤＳ１２）により、第９バッファ並列スイッチないし第１２バッファ並列スイッチは、ターンオフされる。これにより、第９データライン（ＤＬ９）ないし第１２データライン（ＤＬ１２）には、異なる第９データ電圧（Ｖｄａｔａ９）ないし第１２データ電圧（Ｖｄａｔａ１２）が出力される。以下の説明では、異なるデータ電圧が出力されるデータラインを第３データライングループ（Ｄ＿Ｇｒｏｕｐ３）とする。第３データライングループ（Ｄ＿Ｇｒｏｕｐ３）によって、高解像度が具現され得る。
【０１９６】
上記で説明したように、本発明によれば、１２個のデータバッファ３６１のうちの７つのデータバッファ３６１、例えば、第１データバッファ、第５データバッファ、第７データバッファおよび第９データバッファないし第１２データバッファのみが駆動しても、１２個のデータライン（ＤＬ１〜ＤＬ１２）にデータ電圧を出力することができる。したがって、本発明によれば、データバッファ装置３６０の消費電力を減少させることができ、これにより、表示装置の消費電力が減少し得る。
【０１９７】
図８Ａ〜図８Ｃは、本発明に係る表示装置によって、高解像度、中解像度および低解像度が表現される方法を説明するための例示図である。図８Ａ〜図８Ｃでゲートドライバ２００に表示された矢印は、ゲートラインに出力されるゲートパルスを意味し、データドライバ３００に表示された矢印は、データラインに出力されるデータ電圧を意味する。すなわち、四つのゲートラインと同じゲートパルスが出力されることもあり、二つのゲートラインと同じゲートパルスが出力されることもあり、各ゲートラインに異なるゲートパルスが出力されることもある。また、４本のデータラインに同じデータ電圧が出力されることもあり、２本のデータラインに同じデータ電圧が出力されることもあり、各データラインに異なるデータ電圧が出力されることもある。
【０１９８】
上記で説明したように、本発明に係る表示装置は、仮想現実装置に適用することができ、仮想現実装置は、例えば、使用者の目の周りに着用されるゴーグルの形態で製作することができる。
【０１９９】
この場合、使用者は仮想現実装置から出力される仮想現実画面を目で見ることができ、仮想現実画面に沿って使用者の目の焦点が移動することができる。
【０２００】
仮想現実装置は、使用者の注意力を増大させるために、使用者の目の焦点によって、図８Ａ〜図８Ｃに示したように、低解像度領域（Ｘ）、中解像度領域（Ｙ）および高解像度領域（Ｚ）の位置を変更させることができる。
【０２０１】
例えば、仮想現実装置に備えられたセンサー３０によって、使用者の目の焦点位置を判断することができ、使用者の目の焦点が図８Ａに示すように、表示パネルの中心部分を向く場合、本発明に係る表示装置は、表示パネルの中心部分を高解像度領域（Ｚ）で表示して、高解像度領域（Ｚ）の外郭部分を中解像度領域（Ｙ）で表示し、中解像度領域（Ｙ）の外郭部分を低解像度領域（Ｘ）で表示することができる。
【０２０２】
また、使用者の目の焦点が図８Ｂに示すように表示パネルの左上部分を向く場合、本発明に係る表示装置は、表示パネルの左上部分を高解像度領域（Ｚ）で表示することができ、使用者の目の焦点が図８Ｃに示すように表示パネルの右下部分を向く場合、本発明に係る表示装置は、表示パネルの右下部分を高解像度領域（Ｚ）で表示することができる。
【０２０３】
そのため、本発明に係るゲートドライバ２００は、例えば、図８Ａ〜図８Ｃに示したように、低解像度領域（Ｘ）に含まれるゲートラインのうち隣接している四つのゲートラインには同じゲートパルスを出力し、中解像度領域（Ｙ）に含まれるゲートラインのうち隣接している二つのゲートラインには同じゲートパルスを出力し、高解像度の領域（Ｚ）に含まれるゲートラインには互いに異なるゲートパルスを出力することができる。
【０２０４】
また、本発明に係るデータドライバ３００は、例えば、図８Ａ〜図８Ｃに示したように、低解像度領域（Ｘ）に含まれるデータラインの中の隣接している四つのデータラインには、同じデータ電圧を出力し、中解像度領域（Ｙ）に含まれるデータラインの中の隣接している二つのデータラインには、同じデータ電圧を出力し、高解像度の領域（Ｚ）に含まれるデータラインには、互いに異なるデータ電圧を出力することができる。
【０２０５】
この場合、例えば、図８Ａに示すように、高解像度領域（Ｚ）に含まれたゲートラインは、低解像度の領域（Ｘ）にも含むことができ、したがって、高解像度領域（Ｚ）にも含まれ、低解像度領域（Ｘ）にも含まれるゲートラインそれぞれには、互いに異なるゲートパルスが供給される。しかし、低解像度領域（Ｘ）に含まれる四つのデータラインには、同じデータ電圧が供給される。したがって、低解像度領域（Ｘ）では、低解像度が具現され得る。
【０２０６】
また、高精細領域（Ｚ）にも含まれて、中解像度領域（Ｙ）にも含まれるゲートラインそれぞれには、互いに異なるゲートパルスが供給される。しかし、中解像度領域（Ｙ）に含まれる二つのデータラインには、図８Ａに示すように、同じデータ電圧が供給される。したがって、中解像度領域（Ｙ）では、中解像度が具現され得る。
【０２０７】
また、上記したような説明は、データラインを基準にした説明にも同様に適用することができる。
【０２０８】
以下では、図１〜図１２を参照して、本発明に係る表示装置の駆動方法を説明する。以下の説明では、図８Ａに示すような形態でデータ電圧およびゲートパルスが出力される表示装置を、本発明の一例として説明する。特に、以下では、図８Ａに示したデータドライバ３００の一番左側から出力される１２個のデータ電圧（Ｅ）および図８Ａに示したゲートドライバ２００の一番上段から出力される１２個のゲートパルス（Ｆ）を用いて、本発明を説明する。
【０２０９】
図９は、本発明に係るゲートドライバによって高解像度、中解像度および低解像度が表現される方法を説明するための例示図であり、図１０は、図９に示したゲートドライバを駆動するための信号のタイミング図であり、図１１は、本発明によるデータドライバによって高解像度、中解像度および低解像度を表現する方法を説明するための例示図であり、図１２は、図１１に示したデータドライバを駆動するための信号のタイミング図である。図１０において符号ＶＳは、第１フレーム期間および第２フレーム期間を定義する信号であり、図１２において図面符号ＨＳは、第１フレーム期間の１ライン期間および第２フレーム期間の１ライン期間を定義する信号である。１ライン期間中にすべてのデータラインには、データ電圧が同時に出力される。以下の説明中、図１〜図８Ｃを参照して説明した内容と同一または類似の内容は、省略したり簡単に説明する。
【０２１０】
まず、第１フレーム期間（１ｓｔ  ｆｒａｍｅ  ｐｅｒｉｏｄ）に、図９の（ａ）に示すような値を有するオリジナルゲート解像度制御信号（ＯＧＳ）および反転ゲート解像度制御信号（ＩＧＳ）が、図４および図５を参照して説明したような方法で、ゲート解像度制御信号出力装置２１０に保存される。
【０２１１】
すなわち、図１０に示すように、第１フレーム期間に、ゲート解像度信号制御用クロック（ＧＣＫ１）によってゲート解像度信号レジスタ２１１ａが順番に駆動し、ゲート解像度信号保存器２１１ｂに、ゲート解像度信号（ＧＲＳ）、すなわち、図９の（ａ）に示すようなオリジナルゲート解像度信号（ＯＧＳ）が保存される。
【０２１２】
また、第１フレーム期間に、図１１の（ａ）に示すような値を有するオリジナルデータ解像度制御信号（ＯＤＳ）および反転データ解像度制御信号（ＩＤＳ）が、図６を参照して、説明したような方法を用いて、データ解像度制御信号出力装置３１０に保存される。
【０２１３】
すなわち、第１フレーム期間に、データ解像度信号制御クロック（ＤＣＫ１）によってデータ解像度信号レジスタ３１１ａが順番に駆動し、データ解像度信号保存器３１１ｂに、データ解像度信号（ＤＲＳ）、すなわち、図１１の（ａ）に示すようなオリジナルデータ解像度制御信号（ＯＤＳ）が保存される。
【０２１４】
次に、第２フレーム期間（２ｎｄ  ｆｒａｍｅ  ｐｅｒｉｏｄ）が開始される直前に、図１０に示すように、ハイ値を有するゲート解像度出力信号（ＧＲＯ）がゲート解像度制御信号出力装置２１０に供給される。
【０２１５】
これにより、ゲート解像度制御信号出力装置２１０では、図９の（ａ）に示すような値を有するオリジナルゲート解像度制御信号（ＯＧＳ）および反転ゲート解像度制御信号（ＩＧＳ）を同時にゲートライン選択装置２３０に出力する。
【０２１６】
また、第２フレーム期間が開始される直前に、図１２に示すように、ハイ値を有するデータ解像度出力信号（ＤＲＯ）がデータ解像度制御信号出力装置３１０に供給される。
【０２１７】
これにより、データ解像度制御信号出力装置３１０では、図１１の（ａ）に示すような値を有するオリジナルデータ解像度制御信号（ＯＤＳ）および反転データ解像度制御信号（ＩＤＳ）を同時にラッチ選択装置３３０に出力する。
【０２１８】
以下、図９の（ａ）に示すような値を有するオリジナルゲート解像度制御信号（ＯＧＳ）および反転ゲート解像度制御信号（ＩＧＳ）が、第２フレーム期間が開始された後、ゲートライン選択装置２３０に供給されると、ｏｎ値を有する第１オリジナルゲート解像度制御信号（ＯＧＳ１）により、図９の（ｃ）に示すように、第１ゲート直列スイッチ（Ｓ１）は、ターンオンされ、ｏｆｆ値を有する第２オリジナルゲート解像度制御信号（ＯＧＳ２）ないし第４オリジナルゲート解像度制御信号（ＯＧＳ４）により、第２ゲート直列スイッチ（Ｓ２）ないし第４ゲート直列スイッチ（Ｓ４）はターンオフされ、ｏｎ値を有する第２反転ゲート解像度制御信号（ＩＧＳ２）ないし第４反転ゲート解像度制御信号（ＩＧＳ４）によって、第２ゲート並列スイッチ（Ｐ２）ないし第４ゲート並列スイッチ（Ｐ４）はターンオンされる。
【０２１９】
これにより、図９の（ｃ）および図１０に示すように、第２フレーム期間（２ｎｄ  ｆｒａｍｅ  ｐｅｒｉｏｄ）に第１ゲートパルス（ＧＰ１）が第１ゲートライン（ＧＬ１）ないし第４ゲートライン（ＧＬ４）に出力される。ここで、第１ゲートパルス（ＧＰ１）は、第１ゲートステージで生成されたゲートパルスを意味する。
【０２２０】
また、図１１の（ａ）に示すような値を有するオリジナルデータ解像度制御信号（ＯＤＳ）および反転データ解像度制御信号（ＩＤＳ）が、第２フレーム期間が開始された後、ラッチ選択装置３３０に供給されると、ｏｎ値を有する第１オリジナルデータ解像度制御信号（ＯＤＳ１）により、図１１の（ｃ）に示すように、第１データ直列スイッチ（Ｒ１）はターンオンされ、ｏｆｆ値を有する第２オリジナルデータ解像度制御信号（ＯＤＳ２）ないし第４オリジナルデータ解像度制御信号（ＯＤＳ４）により、第２データ直列スイッチ（Ｒ２）ないし第４データ直列スイッチ（Ｒ４）は、ターンオフされ、ｏｎ値を有する第２反転データ解像度制御信号（ＩＤＳ２）ないし第４反転データ解像度制御信号（ＩＤＳ４）によって第２データ並列スイッチ（Ｋ２）ないし第４データの並列スイッチ（Ｋ４）はターンオンされる。
【０２２１】
これにより、図１１の（ｃ）および図１２に示すように、第２フレーム期間（２ｎｄ  ｆｒａｍｅ  ｐｅｒｉｏｄ）の１ライン期間中に、第１データ電圧（Ｖｄａｔａ１）が第１データライン（ＤＬ１）ないし第４データライン（ＤＬ４）に出力される。ここで、第１データ電圧（Ｖｄａｔａ１）は、第１変換部ないし第４変換部で生成されたデータ電圧を意味する。図１２において、Ｖ１ないしＶ１２は、データラインに供給されるデータラインの電圧を意味し、上記データラインの電圧は、データ電圧（Ｖｄａｔａ）になり得る。第１ゲートパルス（ＧＰ１）が、第１ゲートライン（ＧＬ１）ないし第４ゲートライン（ＧＬ４）に出力され、第１データ電圧（Ｖｄａｔａ１）が、第１データライン（ＤＬ１）ないし第４データライン（ＤＬ４）出力されることによって、第１ゲートライン（ＧＬ１）ないし第４ゲートライン（ＧＬ４）および、第１データライン（ＤＬ１）ないし第４データライン（ＤＬ４）が交差する領域では、図８Ａに示すように、低解像度領域（Ｘ）が形成される。
【０２２２】
以下、図９の（ａ）に示すような値を有するオリジナルゲート解像度制御信号（ＯＧＳ）および反転ゲート解像度制御信号（ＩＧＳ）が、第２フレーム期間が開始された後、ゲートライン選択装置２３０に供給されると、ｏｎ値を有する第５オリジナルゲート解像度制御信号（ＯＧＳ５）および第７オリジナルゲート解像度制御信号（ＯＧＳ７）により、図９の（ｃ）に示すように、第５ゲート直列スイッチ（Ｓ５）および第７ゲート直列スイッチ（Ｓ７）はターンオンされ、ｏｆｆ値を有する第６オリジナルゲート解像度制御信号（ＯＧＳ６）および第８オリジナルゲート解像度制御信号（ＯＧＳ８）により、第６ゲート直列スイッチ（Ｓ６）および第８ゲート直列スイッチ（Ｓ８）は、ターンオフされ、ｏｆｆ値を有する第５反転ゲート解像度制御信号（ＩＧＳ５）および第７反転ゲート解像度制御信号（ＩＧＳ７）により、第５ゲート並列スイッチ（Ｐ５）および第７ゲート並列スイッチ（Ｐ７）はターンオフされ、ｏｎ値を有する第６反転ゲート解像度制御信号（ＩＧＳ６）および第８反転ゲート解像度制御信号（ＩＧＳ８）により、第６ゲート並列スイッチ（Ｐ６）および第８ゲート並列スイッチ（Ｐ８）はターンオンされる。
【０２２３】
これにより、図９の（ｃ）および図１０に示すように、第５ゲートパルス（ＧＰ５）が第５ゲートライン（ＧＬ５）および第６ゲートライン（ＧＬ６）に出力され、第７ゲートパルス（ＧＰ７）が第７ゲートライン（ＧＬ７）および第８ゲートライン（ＧＬ８）に出力される。ここで、第５ゲートパルス（ＧＰ５）は、第５ゲートステージで生成されたゲートパルスを意味し、第７ゲートパルス（ＧＰ７）は、第７ゲートステージで生成されたゲートパルスを意味する。
【０２２４】
また、図１１の（ａ）に示すような値を有するオリジナルデータ解像度制御信号（ＯＤＳ）および反転データ解像度制御信号（ＩＤＳ）が、第２フレーム期間が開始された後、ラッチ選択装置３３０に供給されると、ｏｎ値を有する第５オリジナルデータ解像度制御信号（ＯＤＳ５）および第７オリジナルデータ解像度制御信号（ＯＤＳ７）により、図１１の（ｃ）に示すように、第５データ直列スイッチ（Ｒ５）および第７データ直列スイッチ（Ｒ７）はターンオンされ、ｏｆｆ値を有する第６オリジナルデータ解像度制御信号（ＯＤＳ６）および第８オリジナルデータ解像度制御信号（ＯＤＳ８）により、第６データ直列スイッチ（Ｒ６）および第８データ直列スイッチ（Ｒ８）はターンオフされ、ｏｆｆ値を有する第５反転データ解像度制御信号（ＩＤＳ５）および第７反転データ解像度制御信号（ＩＤＳ７）により、第５データの並列スイッチ（Ｋ５）および第７データ並列スイッチ（Ｋ７）はターンオフされ、ｏｎ値を有する第６反転データ解像度制御信号（ＩＤＳ６）および第８反転データ解像度制御信号（ＩＤＳ８）により、第６データ並列スイッチ（Ｋ６）および第８データ並列スイッチ（Ｋ８）はターンオンされる。
【０２２５】
これにより、図１１の（ｃ）および図１２に示すように、第５データ電圧（Ｖｄａｔａ５）が第５データライン（ＤＬ５）および第６データライン（ＤＬ６）に出力され、第７データ電圧（Ｖｄａｔａ７）が第７データライン（ＤＬ７）および第８データライン（ＤＬ８）に出力される。ここで、第５データ電圧（Ｖｄａｔａ５）は、第５変換部および第６変換部で生成されたデータ電圧を意味し、第７データ電圧（Ｖｄａｔａ７）は、第７変換部および第８変換部で生成されたデータ電圧を意味する。
【０２２６】
第５ゲートパルス（ＧＰ５）が、第５ゲートライン（ＧＬ５）および第６ゲートライン（ＧＬ６）に出力され、第５データ電圧（Ｖｄａｔａ５）が、第５データライン（ＤＬ５）および第６データライン（ＤＬ６）に出力され、第７ゲートパルス（ＧＰ７）が、第７ゲートライン（ＧＬ７）および第８ゲートライン（ＧＬ８）に出力され、第７データ電圧（Ｖｄａｔａ７）が、第７データライン（ＤＬ７）および第８データライン（ＤＬ８）に出力されることによって、第５ゲートライン（ＧＬ５）ないし第８ゲートライン（ＧＬ８）および第５データライン（ＤＬ５）ないし第８データライン（ＤＬ８）が交差する領域では、図８Ａに示したように、中解像度領域（Ｙ）が形成される。
【０２２７】
最後に、図９の（ａ）に示すような値を有するオリジナルゲート解像度制御信号（ＯＧＳ）および反転ゲート解像度制御信号（ＩＧＳ）が、第２フレーム期間が開始された後、ゲートライン選択装置２３０に供給されると、ｏｎ値を有する第９オリジナルゲート解像度制御信号（ＯＧＳ９）ないし第１２オリジナルゲート解像度制御信号により、図９の（ｃ）に示すように、第９ゲート直列スイッチ（Ｓ９）ないし第１２ゲート直列スイッチはターンオンされ、ｏｆｆ値を有する第９反転ゲート解像度制御信号（ＩＧＳ２）ないし第１２反転ゲート解像度制御信号により、第９ゲート並列スイッチ（Ｐ９）ないし第１２ゲート並列スイッチ（Ｐ１２）は、ターンオフされる。
【０２２８】
これにより、図９の（ｃ）および図１０に示すように、第９ゲートパルス（ＧＰ９）ないし第１２ゲートパルス（ＧＰ１２）が、第９ゲートライン（ＧＬ９）ないし第１２ゲートライン（ＧＬ１２）に出力される。ここで、第９ゲートパルス（ＧＰ９）は、第９ゲートステージで生成されたゲートパルスを意味し、第１０ゲートパルス（ＧＰ１０）は、第１０ゲートステージで生成されたゲートパルスを意味し、第１１ゲートパルス（ＧＰ１１）は、第１１ゲートステージで生成されたゲートパルスを意味し、第１２ゲートパルス（ＧＰ１２）は、第１２ゲートステージで生成されたゲートパルスを意味する。
【０２２９】
また、図１１の（ａ）に示すような値を有するオリジナルデータ解像度制御信号（ＯＤＳ）および反転データ解像度制御信号（ＩＤＳ）が、第２フレーム期間が開始された後、ラッチ選択装置３３０に供給されると、ｏｎ値を有する第９オリジナルデータ解像度制御信号（ＯＤＳ９）ないし第１２オリジナルデータ解像度制御信号（ＯＤＳ１２）により、図１１の（ｃ）に示すように、第９データ直列スイッチ（Ｒ９）ないし第１２データ直列スイッチ（Ｒ１２）は、ターンオンされ、ｏｆｆ値を有する第９反転データ解像度制御信号（ＩＤＳ９）ないし第１２反転データ解像度制御信号（ＩＤＳ１２）により、第９データ並列スイッチ（Ｋ９）ないし第１２データ並列スイッチ（Ｋ１２）はターンオフされる。
【０２３０】
これにより、図１１の（ｃ）および図１２に示すように、第９データ電圧（Ｖｄａｔａ９）ないし第１２データ電圧（Ｖｄａｔａ１２）が、第９データライン（ＤＬ９）ないし第１２データライン（ＤＬ１２）に出力される。ここで、第９データ電圧（Ｖｄａｔａ９）は、第９変換部で生成されたデータ電圧を意味し、第１０データ電圧（Ｖｄａｔａ１０）は、第１０変換部で生成されたデータ電圧を意味し、第１１データ電圧（Ｖｄａｔａ１１）は、第１１変換部で生成されたデータ電圧を意味し、第１２データ電圧（Ｖｄａｔａ１２）は、第１２変換部で生成されたデータ電圧を意味する。
【０２３１】
第９ゲートパルス（ＧＰ９）ないし第１２ゲートパルス（ＧＰ１２）が、第９ゲートライン（ＧＬ９）ないし第１２ゲートライン（ＧＬ１２）に出力され、第９データ電圧（Ｖｄａｔａ９）ないし第１２データ電圧（Ｖｄａｔａ１２）が、第９データライン（ＤＬ９）ないし第１２データライン（ＤＬ１２）に出力されることによって、第９ゲートライン（ＧＬ９）ないし第１２ゲートライン（ＧＬ１２）および第９データライン（ＤＬ９）ないし第１２データライン（ＤＬ１２）が交差する領域では、図８Ａに示すように、高解像度の領域（Ｚ）が形成される。
【０２３２】
上記のような本発明によれば、使用者の目の焦点の位置によって、低解像度領域（Ｘ）、中解像度領域（Ｙ）および高解像度領域（Ｚ）を多様に変更することができる。
【０２３３】
本発明の属する技術分野の当業者は、本発明がその技術的思想や必須の特徴を変更せず、異なる具体的な形態で実施することができることを理解できるだろう。したがって、以上で記述した実施例は、すべての面で例示的なものであり、限定的なものではないものと理解されなければならない。本発明の範囲は、上記の詳細な説明ではなく、後述する特許請求の範囲によって示され、特許請求の範囲の意味および範囲そしてその等価概念から導き出されるすべての変更または変形された形態が、本発明の範囲に含まれるものと解釈されなければならない。
【符号の説明】
【０２３４】
１００：表示パネル
２００：ゲートドライバ
３００：データドライバ
４００：制御部
【図１】
2022003385.tif 000003
【図２Ａ】
2022003385.tif 000004
【図２Ｂ】
2022003385.tif 000005
【図３】
2022003385.tif 000006
【図４】
2022003385.tif 000007
【図５】
2022003385.tif 000008
【図６】
2022003385.tif 000009
【図７】
2022003385.tif 000010
【図８Ａ】
2022003385.tif 000011
【図８Ｂ】
2022003385.tif 000012
【図８Ｃ】
2022003385.tif 000013
【図９】
2022003385.tif 000014
【図１０】
2022003385.tif 000015
【図１１】
2022003385.tif 000016
【図１２】
2022003385.tif 000017